(57)【要約】  本発明は、ベニバナ植物体内において、特にベニバナの種子から、ガンマ−リノール酸（ＧＬＡ）を調製するための組成物および方法に関する。一つまたは複数の脂肪酸デサチュラーゼ配列を含み、かつ発現し、ベニバナ種子内に高レベルのＧＬＡを生成する形質転換ベニバナを作り出すために、これらの配列をコードする核酸およびコンストラクトが用いられる。高レベルのＧＬＡを生成する形質転換ベニバナ植物体および種子が提供される。さらに、本発明に係る種子から生成されるオイルが提供される。本発明は、また、神経系疾患、炎症状態、がん、心疾患を含む様々な疾患を、本発明のオイルを用いて治療する方法に関する。
2008545411.tif 000002
【特許請求の範囲】
【請求項１】
少なくとも１重量％のＧＬＡを含む種子を形成する、ベニバナ植物体。
【請求項２】
請求項１に記載の植物の、種子。
【請求項３】
請求項２に記載の種子の、オイル。
【請求項４】
およそ１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含んでいる、請求項３に記載のオイル。
【請求項５】
デルタ６デサチュラーゼをコードする組み換えＤＮＡ配列に、機能し得る形でつながっている、自植物体において機能する組み換えプロモータを含む形質転換ベニバナ植物体であって、
種子を形成し、該種子は少なくとも１重量％のＧＬＡを含んでいる、形質転換ベニバナ植物体。
【請求項６】
上記デサチュラーゼをコードする配列が、植物または真菌のデサチュラーゼである、請求項５に記載の形質転換ベニバナ植物体。
【請求項７】
上記デサチュラーゼをコードする配列が、Mucor、Saprolegnia、Saprolegnia diclina、Mortierella、Mortierella alpina、Conidiobolus、Pythium、Phytophthora、Penicillium、Porphyridium、Coidosporium、Mucor circinelloides、Fusarium、Aspergillus、Candida、Rhodotorula、Entomophthora、Thraustochytrium、Saprolegnia、Borago、Primula、ベニバナ、ナタネ、イネおよび蘚類のデルタ６デサチュラーゼからなる群より選択されるデサチュラーゼである、請求項６に記載の形質転換ベニバナ植物体。
【請求項８】
上記プロモータが、種子特異的なプロモータである、請求項５に記載の形質転換ベニバナ植物体。
【請求項９】
上記種子特異的プロモータが、オレオシンプロモータまたはリニンプロモータである、請求項８に記載の形質転換ベニバナ植物体。
【請求項１０】
請求項５、６、７、８、または９に記載の植物体由来の、種子であって、
内部のＧＬＡレベルが、全脂肪酸含有量の少なくとも１重量％である、種子。
【請求項１１】
請求項１０に記載の種子から作り出される、オイル。
【請求項１２】
およそ１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含んでいる、請求項１１に記載のオイル。
【請求項１３】
デルタ６デサチュラーゼをコードする第一の組み換えＤＮＡ配列と、
デルタ１２デサチュラーゼをコードする第二の組み換えＤＮＡ配列と、
を含む形質転換ベニバナ植物体であって、
該第一の組み換えＤＮＡ配列および該第二の組み換えＤＮＡ配列は、少なくとも一つのプロモータに、機能し得る形でつながっており、
少なくとも１重量％のＧＬＡを含む種子を形成する、形質転換ベニバナ植物体。
【請求項１４】
上記デルタ６デサチュラーゼおよびデルタ１２デサチュラーゼをコードする配列は、植物または真菌のデサチュラーゼである、請求項１３に記載の形質転換ベニバナ植物体。
【請求項１５】
上記デサチュラーゼをコードする配列が、Mucor、Saprolegnia、Saprolegnia diclina、Mortierella、Mortierella alpina、Conidiobolus、Pythium、Phytophthora、Penicillium、Porphyridium、Coidosporium、Mucor circinelloides、Fusarium、Aspergillus、Candida、Euphorbia、Dimorphoteca、Rhodotorula、Entomophthora、Thraustochytrium、Saprolegnia、Borago、Primula、ベニバナ、ナタネ、イネおよび蘚類のデルタ６−およびデルタ１２デサチュラーゼからなる群より選択されるデサチュラーゼである、請求項１４に記載の形質転換ベニバナ植物体。
【請求項１６】
上記プロモータが、種子特異的なプロモータである、請求項１３に記載の形質転換ベニバナ植物体。
【請求項１７】
上記種子特異的プロモータが、オレオシンプロモータまたはリニンプロモータである、請求項１６に記載の形質転換ベニバナ植物体。
【請求項１８】
請求項１３、１４、１５、１６、または１７に記載の植物体由来であり、内部のＧＬＡレベルが、全脂肪酸含有量の少なくとも１重量％である、種子。
【請求項１９】
請求項１８に記載の種子から作り出される、オイル。
【請求項２０】
およそ１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含んでいる、請求項１９に記載のオイル。
【請求項２１】
ベニバナの種子内にＧＬＡを生成するための方法であって、
該ベニバナ植物体において機能する組み換えプロモータを含むベニバナ植物体を育てる工程を含み、
該プロモータは、デルタ６デサチュラーゼをコードする組み換えＤＮＡ配列に、機能し得る形でつながっており、
該ベニバナ植物体は、該デルタ６デサチュラーゼ配列が発現する条件下において育てられる、方法。
【請求項２２】
上記デルタ６デサチュラーゼおよびデルタ１２デサチュラーゼをコードする配列が、植物または真菌のデサチュラーゼである、請求項２１に記載の方法。
【請求項２３】
上記デサチュラーゼをコードする配列が、Mucor、Saprolegnia、Saprolegnia diclina、Mortierella、Mortierella alpina、Conidiobolus、Pythium、Phytophthora、Penicillium、Porphyridium、Coidosporium、Mucor circinelloides、Fusarium、Aspergillus、Candida、Euphorbia、Rhodotorula、Thraustochytrium、Saprolegnia、Borago、Primula、ベニバナ、ナタネ、イネおよび蘚類のデルタ６デサチュラーゼからなる群より選択されるデサチュラーゼである、請求項２２に記載の方法。
【請求項２４】
上記プロモータが、種子特異的なプロモータである、請求項２１に記載の方法。
【請求項２５】
上記種子特異的プロモータが、オレオシンプロモータまたはリニンプロモータである、請求項２４に記載の方法。
【請求項２６】
上記ベニバナ植物体から種子を単離する工程を、さらに含んでいる、請求項２１、２２、２３、２４、または２５に記載の方法。
【請求項２７】
上記種子のＧＬＡレベルが、全脂肪酸含有量の少なくとも１重量％である、請求項２６に記載の方法。
【請求項２８】
上記ベニバナ植物体の種子からオイルを抽出する工程を、さらに含んでいる、請求項２６に記載の方法。
【請求項２９】
およそ１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含んでいる、請求項２８に記載のオイル。
【請求項３０】
デルタ６デサチュラーゼをコードする第一の組み換えＤＮＡ配列と、
デルタ１２デサチュラーゼをコードする第二の組み換えＤＮＡ配列と、
を含むベニバナ植物体を育てる工程を含む、ベニバナ種子内にＧＬＡを生成するための方法であって、
該第一の組み換えＤＮＡ配列および該第二の組み換えＤＮＡ配列が、少なくとも一つのプロモータに、機能し得る形でつながっており、
該デルタ６デサチュラーゼおよび該デルタ１２デサチュラーゼ配列が発現する条件下において、該ベニバナ植物体が育てられる、方法。
【請求項３１】
上記デルタ６デサチュラーゼおよびデルタ１２デサチュラーゼをコードする配列が、植物または真菌のデサチュラーゼである、請求項３０に記載の方法。
【請求項３２】
上記デサチュラーゼをコードする配列が、Mucor、Saprolegnia、Saprolegnia diclina、Mortierella、Mortierella alpina、Conidiobolus、Pythium、Phytophathra、Penicillium、Porphyridium、Coidosporium、Mucor circinelloides、Fusarium、Aspergillus、Candida、Euphorbia、Dimorphoteca、Rhodotorula、Entomophthora、Thraustochytrium、Saprolegnia、Borago、Primula、ベニバナ、ナタネ、イネおよび蘚類のデルタ６−およびデルタ１２デサチュラーゼからなる群より選択されるデサチュラーゼである、請求項３１に記載の方法。
【請求項３３】
上記プロモータが、種子特異的なプロモータである、請求項３０に記載の方法。
【請求項３４】
上記種子特異的プロモータが、オレオシンプロモータまたはリニンプロモータである、請求項３３に記載の方法。
【請求項３５】
上記ベニバナ植物体から種子を単離する工程を、さらに含んでいる、請求項３０、３１、３２、３３、または３４に記載の方法。
【請求項３６】
上記種子のＧＬＡレベルが、全脂肪酸含有量の少なくとも１重量％である、請求項３５に記載の方法。
【請求項３７】
上記ベニバナ植物体の種子からオイルを抽出する工程を、さらに含んでいる、請求項３５に記載の方法。
【請求項３８】
およそ１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含んでいる、請求項３７に記載のオイル。
【請求項３９】
形質転換ベニバナ植物体由来であり、ガンマ−リノレン酸の含有量が１重量％より多い、ベニバナオイル。
【請求項４０】
形質転換ベニバナ植物体由来であり、ガンマ−リノレン酸の含有量が５重量％より多い、ベニバナオイル。
【請求項４１】
形質転換ベニバナ植物体由来であり、ガンマ−リノレン酸の含有量が１０重量％より多い、ベニバナオイル。
【請求項４２】
形質転換ベニバナ植物体由来であり、ガンマ−リノレン酸の含有量が１〜５、５〜１０、１０〜１５、１５〜２０、２０〜２５、２５〜３０、３０〜３５、３５〜４０、４０〜４５、４５〜５０、５０〜５５または５５〜６０重量パーセントより多い、ベニバナオイル。
【請求項４３】
精神、神経、もしくは他の中枢神経系もしくは末梢神経系の病状または疾患を治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４４】
免疫の病状または疾患を治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４５】
炎症状態または炎症性の疾患を治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４６】
がんを治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４７】
皮膚の病状または皮膚の疾患を治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４８】
心血管の病状または心疾患を治療するまたは防止する方法であって、
上記の疾患になりやすい、または上記の疾患で苦しんでいる患者に対して、効果的な量の、請求項３、１１、１９、２９、３８、３９、４０、４１、または４２に記載のオイルを投与する工程を含む、方法。
【請求項４９】
効果的な量の、請求項３、１１、１９、２９、３８、３９、４０、４１、または４２に記載のオイルを、幼児に投与する工程を含む、幼児に栄養を与える方法。
【発明の詳細な説明】
【発明の詳細な説明】
【０００１】
〔関連出願〕
本出願は、２００５年５月２３日に出願された米国仮出願第６０／６８４，１３４号および２００５年１１月１０日に出願された米国仮出願第６０／７３５，９８４号の利益を主張するものであり、これらは、参照により本明細書によって組み込まれる。
【０００２】
〔背景技術〕
ガンマ−リノレン酸（ＧＬＡ）は、主として植物由来のオイルに見つかるオメガ−６ファミリーに属する必須脂肪酸である。ＧＬＡは、酵素であるデルタ−６デサチュラーゼ（デルタ６デサチュラーゼ）の作用を介して、リノール酸（ＬＡ）から合成される。ＧＬＡの有益な効果は、例えばアラキドン酸などの他の多くの必須脂肪酸の前駆体としての役目を果たすという事実からきている。アラキドン酸は、プロスタグランジンおよび他の生理学的に重要な分子の前駆体である。
【０００３】
脊椎動物の細胞は、脂肪酸のΔ９位置に二重結合を入れることができるが、Δ９二重結合と脂肪酸鎖のメチル末端との間にさらなる二重結合を入れることができない。そのため、リノール酸（Ｃ１８Δ９、１２）およびα−リノレン酸（Ｃ１８Δ９、１２、１５）などの不飽和脂肪酸は、脊椎動物が合成することのできない必須食事成分である。これらは他の産物を合成するのに必要であるため、リノール酸およびαリノレン酸は、必須脂肪酸であり、通常は、植物源から獲得している。哺乳動物は、ＬＡを、ＧＬＡ（Ｃ１８Δ６、９、１２）に変換でき、次いでＧＬＡをアラキドン酸（２０：４）に変換できる。アラキドン酸は、ほとんどのプロスタグランジンの必須前駆体であるため、非常に重要な脂肪酸である。
【０００４】
ＬＡが酵素によりＧＬＡに変換され、次いでアラキドン酸に変換されるおかげで、食事によるＬＡの供給は、ＧＬＡおよびアラキドン酸の食事による必要量を充足させることができる。しかしながら、ＬＡなどの高度には不飽和化していない脂肪の消費は、高コレステロール血症、アテローム性動脈硬化、および冠状動脈性心臓病に罹りやすくなる他の臨床疾患などの、健康上のリスクと関連があるとされている。これに対して、より高度に不飽和化している脂肪の消費は、血中コレステロール濃度の低下およびアテローム性動脈硬化のリスクの低減と関連があるとされている。不飽和脂肪酸であるＧＬＡの消費は、とりわけ有益であることが示されてきている。そのため、より不飽和化しているＧＬＡの消費は、ＬＡの消費よりも好ましいだろう。したがって、人が消費するための、ＧＬＡに富むさらなる供給源を作りだすことが望まれるだろう。
【０００５】
ＧＬＡは、プロスタグランジンを含むエイコサノイドの形成のための前駆体としての役割を果たす。プロスタグランジンは、細胞膜を増強し、かつ、細胞シグナル分子として働く、生体に必要なホルモン様化合物である。ＧＬＡの有益な効果は、人および動物において認められてきている。ＧＬＡは、血圧の低下、炎症の低減、および免疫機能の向上を促進するだろう。ＧＬＡの補給は、狼そう、がん、アレルギー、関節炎および潰瘍性大腸炎を含む、広範囲の疾患ならびに病状に有益だろう。ＧＬＡは、がん治療に用いる薬の効き目を高めるだろう。ＧＬＡは、月経前症候群および更年期障害の症状の低減；皮膚の調子の向上、ならびに、湿疹、にきび、酒さ、乾癬およびふけの治療；アルツハイマー病、ハンチントン舞踏病、多発性硬化症、多動性障害、うつ病およびレイノー現象を含む精神疾患ならびに神経疾患の改善；糖尿病性神経障害の防止；肝硬変の治療；シェーグレン症候群などのドライアイ状態の改善；ならびに、心疾患、骨粗鬆症、高脂質血症および老化と関連した他の症状の改善、に役立つだろう。さらに、ＧＬＡは、身体が褐色脂肪を燃焼するための刺激物質と関係があるとされてきている。褐色脂肪は、生体に必要な器官を取り囲む脂肪燃焼工場として働く内部の体脂肪であり、白色脂肪のようにカロリーを蓄えるよりはむしろ熱のためのカロリーを用いる。褐色脂肪の燃焼は、理想的な体重を維持するために重要である。したがって、ＧＬＡ消費の増加は、褐色脂肪の代謝工程を刺激するのに役立つだろう。
【０００６】
既存のＧＬＡサプリメントは、一般的に、マツヨイグサオイル、クロフサスグリオイル、ルリヂサオイルなどの、生来ＧＬＡをより多く含む植物源由来のものである。しかしながら、これらの天然供給源においては、ＧＬＡは、全脂肪酸のうちの相対的にわずかの画分しか示さない。これらの供給源からの脂肪酸のおよそ７〜１０％（マツヨイグサ）、１４〜１９％（クロフサスグリオイル）、および２０〜２６％（ルリヂサオイル）のみが、ＧＬＡとして利用可能である。ＧＬＡの広範な健康における恩恵にもかかわらず、既存のＧＬＡサプリメントが高コストかつ低濃度であることにより、これまでのところ、その使用が限定されている。最適なＧＬＡの健康における効用を受けるためには、平均的成人は、１０またはそれより多い既存のＧＬＡサプリメントのカプセルを摂取する必要があるだろう。ＧＬＡサプリメントのために従来用いている天然に生じた専門オイルよりもＧＬＡをより多く含む、より安価で、容易に利用可能なオイル供給源を得ることは有効であろう。このような供給源により、消費者は、最適なＧＬＡの健康における恩恵を受けることが可能になり、一方で、サプリメントに費やすお金が減り、摂取する全オイル量およびカロリー量が極めて減少することになるだろう。
【０００７】
ベニバナは、商業的に重要な農作物である。ベニバナは、染料源および植物由来の他の産物の供給源として、数千年前の中近東において最初に栽培された。今世紀におけるベニバナは、食用油の供給源として利用されてきている。ベニバナは、１９３０年代のアメリカにおいて、初めて農業に導入された。それから、様々な種類の、改良された油分が開発されてきた。ベニバナオイルは、主として、脂肪酸のパルミチン酸、ステアリン酸、オレイン酸およびＬＡを含んでいる。パルミチン酸（Ｃ１６：０）およびステアリン酸（Ｃ１８：０）は、飽和脂肪酸であり；オレイン酸（Ｃ１８：１）およびリノール酸（Ｃ１８：２）は、不飽和脂肪酸である。しかしながら、ベニバナ植物体は、天然には、ごくわずかの量のＧＬＡしか生成していない。
【０００８】
このように、天然に生じるよりも高レベルのＧＬＡを含んでいる種子を持つ形質転換ベニバナ植物体は、多大な実用性があるだろう。
【０００９】
〔本発明の実施形態の概要〕
本発明は、ＧＬＡを生成するベニバナ植物体に向けられたものである。一態様において、少なくとも１重量％のＧＬＡを含む種子を形成するベニバナ植物体、このような植物体の種子、このような植物体のオイルが記載されている。好ましい実施形態として、オイルは、１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含むだろう。
【００１０】
一態様において、一つまたはそれより多いデサチュラーゼ酵素を発現させる核酸配列を含む遺伝子コンストラクト、を有するベニバナ植物体が記載されている。一態様において、主としてＬＡを生成する植物体においてＧＬＡを生み出すために、デルタ６デサチュラーゼだけが用いられる。別の態様において、ＬＡではなくむしろオレイン酸（ＯＡ）を生成する植物体においてＧＬＡを生成するために、デルタ６デサチュラーゼが、デルタ−１２デサチュラーゼ（Δ１２デサチュラーゼ）と組み合わせられて、用いられる。上記コンストラクトは、これらの酵素をコードする配列を含んでおり、かつ、一般的に、プロモータ配列および終止配列を含んでいる。一つの有利な実施形態において、プロモータは種子特異的プロモータである。
【００１１】
一実施形態では、ベニバナ植物体において機能し、デルタ６デサチュラーゼをコードする組み換えＤＮＡ配列に機能し得る形でつながっている組み換えプロモータを含む形質転換ベニバナ植物体であって、このベニバナ植物体は種子を形成し、この種子は少なくとも１重量％のＧＬＡを含んでいる形質転換ベニバナ植物体が記載されている。デルタ６デサチュラーゼをコードする配列は、任意の植物または真菌に由来するものであってよい。このような植物および真菌には、ムコール（Mucor）、サプロレグニア（Saprolegnia）、サプロレグニア・ディクリナ（Saprolegnia diclina）、モルティエレラ（Mortierella）、モルティエレラ・アルピナ（Mortierella alpina）、コニディオボルス（Conidiobolus）、フィシウム（Pythium）、フィトフトラ（Phytophthora）、ペニシリウム（Penicillium）、ポルフィリディウム（Porphyridium）、コイドスポリウム（Coidosporium）、ムコール・サーシネロイデス（Mucor circinelloides）、フサリウム（Fusarium）、アスペルギルス（Aspergillus）、カンヂダ（Candida）、ロードトルラ（Rhodotorula）、エントモフトラ（Entomophthora）、スラウストキトリウム（Thraustochytrium）、サプロレグニア（Saprolegnia）、ボラゴ（Borago）、プリムラ（Primula）、ベニバナ、ナタネ、イネおよび蘚類、が含まれるが、これらに限定されるものではない。プロモータには、オレオシンプロモータまたはリニンプロモータなどの種子特異的プロモータを用いることができる。また、本実施形態により、これらの形質転換植物体由来の種子であり、種子内のＧＬＡレベルが種子の全脂肪酸含有量の少なくとも１重量％である種子が提供される。また、本実施形態により、これらの形質転換植物体の種子から生成されるオイルが提供される。このようなオイルは、１−６０重量％またはそれより多いＧＬＡを含み得る。
【００１２】
別の実施形態において、本発明は、デルタ６デサチュラーゼをコードする第一の組み換えＤＮＡ配列と、デルタ１２デサチュラーゼをコードする第二の組み換えＤＮＡ配列とを含む形質転換ベニバナ植物体であって、これらの配列は、少なくとも一つのプロモータに機能し得る形でつながっており、このベニバナ植物体は種子を形成し、この種子は少なくとも１重量％のＧＬＡを含んでいる形質転換ベニバナ植物体、を提供する。いくつかの実施形態において、第一および第二のＤＮＡ配列は、異なるプロモータにつながっている。デルタ６−およびデルタ１２デサチュラーゼをコードする配列は、任意の植物または真菌に由来するものであってよい。このような植物および真菌には、ムコール、サプロレグニア、サプロレグニア・ディクリナ、モルティエレラ、モルティエレラ・アルピナ、コニディオボルス、フィシウム、フィトフトラ、ペニシリウム、ポルフィリディウム、コイドスポリウム、ムコール・サーシネロイデス、フサリウム、アスペルギルス、カンヂダ、ユーフォルビア（Euphorbia）、ディモルフォテカ（Dimorphoteca）、ロードトルラ、エントモフトラ、スラウストキトリウム、サプロレグニア、ボラゴ、プリムラ、ベニバナ、ナタネ、イネおよび蘚類、が含まれるが、これらに限定されるものではない。プロモータには、オレオシンプロモータまたはリニンプロモータなどの種子特異的プロモータを用いることができる。また、本実施形態により、これらの形質転換植物体由来の種子であり、種子内のＧＬＡレベルが種子の全脂肪酸含有量の少なくとも１重量％である種子が提供される。また、本実施形態により、これらの形質転換植物体の種子から生成されるオイルが提供される。このようなオイルは、１−６０重量％またはそれより多いＧＬＡを含み得る。
【００１３】
さらに一つの実施形態において、ベニバナの種子内にＧＬＡを生成するための方法が提供される。本方法は、ベニバナ植物体において機能しデルタ６デサチュラーゼをコードする組み換えＤＮＡ配列に機能し得る形でつながっている組み換えプロモータを含むベニバナ植物体を育てる工程と、デルタ６デサチュラーゼ配列が発現する条件下においてベニバナ植物体を育てる工程とを含んでいる。デルタ６デサチュラーゼをコードする配列は、任意の植物または真菌に由来するものであってよい。このような植物および真菌には、ムコール、サプロレグニア、サプロレグニア・ディクリナ、モルティエレラ、モルティエレラ・アルピナ、コニディオボルス、フィシウム、フィトフトラ、ペニシリウム、ポルフィリディウム、コイドスポリウム、ムコール・サーシネロイデス、フサリウム、アスペルギルス、カンヂダ、ロードトルラ、エントモフトラ、スラウストキトリウム、サプロレグニア、ボラゴ、プリムラ、ベニバナ、ナタネ、イネおよび蘚類、が含まれるが、これらに限定されるものではない。プロモータには、オレオシンプロモータまたはリニンプロモータなどの種子特異的プロモータを用いることができる。また、本実施形態により、これらの形質転換植物体由来の種子であり、種子内のＧＬＡレベルが種子の全脂肪酸含有量の少なくとも１重量％である種子が提供される。また、本実施形態により、これらの形質転換植物体の種子から生成されるオイルが提供される。このようなオイルは、１−６０重量％またはそれより多いＧＬＡを含み得る。
【００１４】
さらなる一実施形態において、ベニバナの種子内にＧＬＡを生成するための方法が提供される。本方法は、少なくとも一つのプロモータに機能し得る形でつながっている、デルタ６デサチュラーゼをコードする第一の組み換えＤＮＡ配列およびデルタ１２デサチュラーゼをコードする第二の組み換えＤＮＡ配列を含むベニバナ植物体を育てる工程と、デルタ６デサチュラーゼ配列およびデルタ１２デサチュラーゼ配列が発現する条件下においてベニバナ植物体を育てる工程とを含んでいる。本実施形態においては、デルタ６デサチュラーゼおよびデルタ１２デサチュラーゼをコードする配列は、任意の植物または真菌に由来するものであってよい。このような植物および真菌には、ムコール、サプロレグニア、サプロレグニア・ディクリナ、モルティエレラ、モルティエレラ・アルピナ、コニディオボルス、フィシウム、フィトフトラ、ペニシリウム、ポルフィリディウム、コイドスポリウム、ムコール・サーシネロイデス、フサリウム、アスペルギルス、カンヂダ、ユーフォルビア、ディモルフォテカ、ロードトルラ、エントモフトラ、スラウストキトリウム、サプロレグニア、ボラゴ、プリムラ、ベニバナ、ナタネ、イネおよび蘚類、が含まれるが、これらに限定されるものではない。プロモータには、オレオシンプロモータまたはリニンプロモータなどの種子特異的プロモータを用いることができる。また、本実施形態により、これらの形質転換植物体由来の種子であり、種子内のＧＬＡレベルが種子の全脂肪酸含有量の少なくとも１重量％である種子が提供される。また、本実施形態により、これらの形質転換植物体の種子から生成されるオイルが提供される。このようなオイルは、１−６０重量％またはそれより多いＧＬＡを含み得る。
【００１５】
さらに他の一実施形態において、１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含有している、形質転換ベニバナ植物体由来のベニバナオイルが提供される。
【００１６】
さらに他の一実施形態において、１〜５、５〜１０、１０〜１５、１５〜２０、２０〜２５、２５〜３０、３０〜３５、３５〜４０、４０〜４５、４５〜５０、５０〜５５もしくは５５〜６０重量％の、またはそれより多いＧＬＡを含有しているベニバナオイルを含む、栄養療法生成物および個人医療生成物が提供される。
【００１７】
他の一実施形態において、精神、神経、もしくは他の中枢神経系もしくは末梢神経系の病状または疾患になりやすい、またはこのような疾患で苦しんでいる患者に対して、効果的な量の、本明細書に記載されているオイルを投与することにより、このような病状または疾患を治療するまたは防止する方法が提供される。
【００１８】
さらに他の一実施形態において、免疫の病状または疾患になりやすい、またはこのような疾患で苦しんでいる患者に対して、効果的な量の、本明細書に記載されているオイルを投与することにより、このような病状または疾患を治療するまたは防止する方法が提供される。
【００１９】
さらに他の一実施形態において、炎症状態または炎症性の疾患になりやすい、またはこのような疾患で苦しんでいる患者に対して、効果的な量の、本明細書に記載されているオイルを投与することにより、このような病状または疾患を治療するまたは防止する方法が提供される。
【００２０】
さらに他の一実施形態において、がんになりやすい、またはがんで苦しんでいる患者に対して、効果的な量の、本明細書に記載されているオイルを投与することにより、がんを治療するまたは防止する方法が提供される。
【００２１】
他の実施形態において、皮膚の病状または皮膚の疾患になりやすい、またはこのような疾患で苦しんでいる患者に対して、効果的な量の、本明細書に記載されているオイルを投与することにより、このような病状または疾患を治療するまたは防止する方法が提供される。
【００２２】
さらに他の実施形態において、心血管の病状または心疾患になりやすい、またはこのような疾患で苦しんでいる患者に対して、効果的な量の、本明細書に記載されているオイルを投与することにより、このような病状または疾患を治療するまたは防止する方法が提供される。
【００２３】
さらに他の実施形態において、効果的な量の、本発明に係るオイルを幼児に投与することにより、幼児に栄養を与える方法が提供される。
【００２４】
〔発明の詳細説明〕
本発明の全面的な理解を確証するために、以下の、非限定的な定義が提供される。
【００２５】
デルタ６デサチュラーゼは、脂肪酸分子のカルボキシル末端から６位と７位の炭素の間に二重結合をもたらす酵素である。
【００２６】
デルタ１２デサチュラーゼは、脂肪酸分子のカルボキシル末端から１２位と１３位の炭素の間に二重結合をもたらす酵素である。
【００２７】
本明細書中において用いられるように、略記“ＧＬＡ”は、ガンマリノレン酸に関して使用される。
【００２８】
重量パーセントは、重量を基にした種子から、種子および油脂における特定の脂肪酸含有量を示すために用いられる。このように、ＧＬＡの重量パーセントまたは“重量％ＧＬＡ”は、総脂肪酸量で除したＧＬＡ質量に１００％を掛けたものをもとに算出される。例えば、“５重量％ＧＬＡレベル”または“５重量％ＧＬＡ”はＧＬＡの５グラムおよび、総脂肪酸量の１００グラムを含む種子由来の種子または油を言及する。
【００２９】
（序論）
図１に示すように、ＧＬＡは、ＯＡがＬＡに変換される生化学的経路において産生される。すなわち、脂肪酸炭素鎖における特定の位置に二重結合を取り込む酵素である脂肪酸デサチュラーゼ活性によって、ＬＡはＧＬＡに変換される。
【００３０】
ベニバナは工業的に重要な作物であり、植物油の貴重な原料である。ベニバナ苗は天然に有意量のＧＬＡを産生しないため、この脂肪酸産物の明白な候補はなかった。例えば、ベニバナ苗は、通常ＧＬＡを産生しない。したがって、体外から導入されたＧＬＡは内因性脂肪酸の機能に干渉しうるという理由で、この非内因性脂肪酸の高レベル発現は、植物体に弊害をもたらす恐れがあることが予測された。また、ＧＬＡはベニバナ種子において発現し、またこの発現が当初予測されたものより高レベルで生じることが意外にも明らかとなっている。さらに、トランス遺伝子を発現する他の植物体と比較した場合、上述した懸念がない。
【００３１】
（デサチュラーゼ酵素の特徴）
デサチュラーゼによる触媒反応は：
Ｒ１−ＣＨ２−ＣＨ２−Ｒ２＋Ｏ２＋２ｅ−＋２Ｈ＋→Ｒ１−ＣＨ＝ＣＨ−Ｒ２＋２Ｈ２Ｏ
多くの脂肪酸デサチュラーゼは膜結合性金属酵素である。そのほとんどは活性部位に２つの鉄原子を含むと考えられている。図２、３、５、および６に示すように、デルタ６およびデルタ１２デサチュラーゼはそれぞれの各酵素類のうち、一定の配列の同一および相似を共有している。図４および７に示すように、デサチュラーゼファミリーのうちの保存領域は、一般的なモチーフであるＨＸＸＸＨ，ＨＸＸＨＨおよび、ＨＸＸＨＨまたはＱＸＸＨＨを有し、強固に保存される３つのヒスチジンに富む配列（ヒスチジンボックス）である。これらのボックスは酵素活性に必須であり、膜全域ドメインに隔てられ、活性部位における正確な位置づけに必要である。Δ５−およびデルタ６デサチュラーゼを含む多くの酵素は、シトクロムｂ５のようなＮ末端伸張を含む。これは、ＱＸＸＨＨへのヒスボックス３の配列における変換と同時に頻繁に起こる。ＮＡＤＨシトクロムｂ５還元酵素から得られた電子は、シトクロムｂ５またはデサチュラーゼのシトクロムｂ５ドメインへ輸送され、その後デサチュラーゼの活性部位へ輸送される。混合した酸化／還元反応は２つの鉄原子によって進行し、それは保存されたヒスチジンボックスとの相互作用によって一定に保たれる。以下に説明するように、これら構造的な特徴、具体的には金属結合部位を作る保存された残基は、種を超えて保存され、この種の酵素における酵素機能に関与する。
【００３２】
（デサチュラーゼ酵素の原料）
ＧＬＡ産生のため、１つ以上のデサチュラーゼ酵素がホスト細胞および基質の有効性に応じて要求される。例えば、天然に十分な量のＬＡを有している植物体において、デルタ６デサチュラーゼはＧＬＡへのＬＡの変換を触媒する必要がある。天然に、ＬＡではなく十分な量のＯＡを有している植物体において、デルタ１２およびデルタ６デサチュラーゼ酵素の組み合わせは、ＧＬＡを産生するために必要とされる。
【００３３】
使用のための特定のデサチュラーゼポリペプチドを選択の検討は、細胞のミクロソーム／小胞体区画におけるポリペプチド（これら酵素は膜結合性であり、細胞の既存のトリグリセリド生合成機構と共同に機能しなければならない）の正確な局在性および作用、ポリペプチドが律速酵素またはその構成要素であるかどうか、また、使用されたデサチュラーゼは、ポリペプチドにとって必要とされる所望の多価不飽和脂肪酸および／または補酵素の合成に必須かどうか、を含む。望ましくは、発現されたポリペプチドはホスト細胞における位置の生化学的環境と互換性があるパラメーターを有する。例えば、上記ポリペプチドはホスト細胞において、基質のために競合しなければならないこともある。したがって、問題になっている上記ポリペプチドのＫｍおよび特定活性の分析は、既知のホスト細胞におけるＧＬＡ産生を改善するために、既知のポリペプチドの適性の判断として検討される。その結果、特定の状況において用いられたポリペプチドは、目的とするホスト細胞の中に存在している条件の下で機能できるが、その他の場合、ＧＬＡの相対物産生を改善できる好ましい特徴を含む、デサチュラーゼ活性を有する任意のポリペプチドはない。
【００３４】
いくつかのデルタ６およびデルタ１２デサチュラーゼは、米国特許番号６，６３５，４５１、ＷＯ０２／０８１６６８、米国特許番号６，６３５，４５１、米国特許出願番号２００３／０１６７５２５、米国特許番号６，４５９，０１８、米国特許番号５，９７２，６４４、米国特許番号６，４３２，６８４、米国特許番号５，９６８，８０９、米国特許番号５，９７２，６６４，米国特許番号６，０５１，７５４、米国特許番号６，０７５，１８３、米国特許番号６，１３６，５７４、米国特許番号５，５５２，３０６、米国特許番号５，６１４，３９３、５，６６３，０６８、米国特許番号５，６８９，０５０、米国特許番号５，７８９，２２０、米国特許番号６，３５５，８６１および米国特許番号６，４９２，１０８において記載されたものなどが知られており、それは本明細書中において記載された特定配列とともに、参考として採用される。本発明に係る実施に有効であるデルタ６およびデルタ１２デサチュラーゼの原料に共通するのは、植物および菌類由来のものである。例えば、Ｍｕｃｏｒ、Ｓａｐｒｏｌｅｇｎｉａ  ｄｉｃｌｉｎａ、Ｍｏｒｔｉｅｒｅｌｌａ、Ｍｏｒｔｉｅｒｅｌｌａ  ａｌｐｉｎａ、Ｃｏｎｉｄｉｏｂｏｌｕｓ、Ｐｙｔｈｉｕｍ，Ｐｈｙｔｏｐｈｔｈｏｒａ，  Ｐｅｎｉｃｉｌｌｉｕｍ，Ｐｏｒｐｈｙｒｉｄｉｕｍ，Ｃｏｉｄｏｓｐｏｒｉｕｍ，Ｍｕｃｏｒ  ｃｉｒｃｉｎｅｌｌｏｉｄｅｓ，Ｆｕｓａｒｉｕｍ，Ａｓｐｅｒｇｉｌｌｕｓ、Ｃａｎｄｉｄａ、Ｅｕｐｈｏｒｂｉａ，Ｄｉｍｏｒｐｈｏｔｅｃａ，Ｒｈｏｄｏｔｏｒｕｌａ、Ｅｎｔｏｍｏｐｈｔｈｏｒａ，Ｔｈｒａｕｓｔｏｃｈｙｔｒｉｕｍ，Ｓａｐｒｏｌｅｇｎｉａ，ＢｏｒａｇｏおよびＰｒｉｍｕｌａから得られたデルタ６およびデルタ１２デサチュラーゼは、本発明に係る実施において有用である。また、ヒマワリ、菜種、米、コケ、およびＣ．ｅｌｅｇａｎｓ由来のデサチュラーゼにおいても、本発明に係る実施に用いることができる。前記配列は、ヒスチジンに富むボックスを含んでもよい。これらの配列は、技術的に周知の様々な配置法に基づいて、少なくとも８０％、８５％、９０％、および９５％の同一性を有する配列と同様に用いることができる。また、有効なのは、緊張を和らげるために、配列より上で最高値より下へ組み入れる配列である。デサチュラーゼ配列に相当する追加の配列を同定できるハイブリッド形成および洗浄条件は、以下に記載されるいくつかに技術的に周知されている。
【００３５】
従来技術である配置法のうち、プログラムおよび配置アルゴリズムは以下の文献に記載される：Smith and Waterman, J Mol Biol 147:195, 1981; Needleman and Wunsch, J Mol Biol 48:443, 1970; Pearson and Lipman, PNAS 85:2444, 1988; Higgins and Sharp, Gene 73:237, 1988; Higgins and Sharp, Comput Appl Biosci 5:151, 1989; Corpet, Nucl Acids Res 16:10881, 1988; Huang, Genomics 14:18, 1992; and Pearson, Methods Mol Biol 24:307, 1994.。Altschul et al., (Nature Genetics 6:119, 1994)は、配列配置法および相同計算の詳細な検討を公開している。
【００３６】
ＮＣＢＩ塩基特定配列検索ツール（ＢＬＡＳＴ）（Altschulら、Ｊ  Ｍｏｌ  Ｂｉｏｌ  ２１５：４０３，  １９９０）は、生物工学情報の国家センター（ＮＣＢＩ、べセズダ、ＭＤ）および、配列分析プログラムｂｌａｓｔｐ、ｂｌａｓｔｎ、ｂｌａｓｔｘ、ｔｂｌａｓｔｎ、およびｔｂｌａｓｔｘと接続して用いるインターネット上を含むいくつかの情報源から得られる。それは、ＮＣＢＩのウェブサイトにおいて入手できる。当該プログラムを用いて配列の同一性を決定する方法についての詳細は、ＮＣＢＩウェブサイトにおいて入手できる。
【００３７】
ベクターＮＴＩからの配置Ｘプログラムは、図２、３、５、および６を作成するために用いられた。図２は、いくつかの異なる植物種からデルタ６デサチュラーゼ配列を示す。図３は、いくつかの菌種からデサチュラーゼ配列を示す。図５および図６は、いくつかの植物種および菌種からデルタ１２デサチュラーゼ配列をそれぞれ示す。これらの図は、各酵素の種類のうち、異なるデルタ６およびデルタ１２デサチュラーゼの構造および機能の関連性を示す。これらの図に示されるデルタ６またはデルタ１２デサチュラーゼのいずれかは、従来の発明を実施するために用いられてもよく、またその他に、本発明に係る方法を利用すること、またはデルタ６またはデルタ１２デサチュラーゼに相当するような技術において利用できるかを特定できる。また、本発明は、活性を維持し続け、ランダムまたは部位指定変異導入によって得られる促進された酵素活性を有しているデサチュラーゼの改良を含む。
【００３８】
本明細書において記載されたいずれかの配列および、その他の周知技術においても今まで知られていなかったデサチュラーゼは、本発明において利用される核酸ハイブリッド形成またはＰＣＲのような従来のクローニング技術を用いて単離できることは、当業者に周知である。
【００３９】
デサチュラーゼ配列を単離するために用いられるハイブリッド形成条件の実施例には、以下のものを含んでもよい。緊張条件は、配列依存であり、使用された実験パラメータによって変化する。主に、緊張条件は、規定されたイオン強度およびｐＨにおいて、特定配列における融点（Ｔｍ）より約５℃から２０℃低くなるように選択される。Ｔｍは、完全に一致したプローブに組み入れられる標的配列の５０％での（規定されたイオン強度およびｐＨ下における）温度である。核酸ハイブリッド形成および緊縮測定の条件は、サンブルック他（分子クローニング―実験マニュアル第２編、コールドスプリングハーバー研究室出版物、ニューヨーク、１９８９）およびティッセン（Tijssen）（核酸プローブを伴うハイブリッド形成、エルセビアサイエンスＬｔｄ.,アムステルダム、１９９３）において見られる。核酸ハイブリッド形成に影響を及ぼす要素の例は、：温度、塩組成、ハイブリッド形成混合体における有機溶媒の存在、組み入れるための配列の長さ、並びに塩基組成、および塩基不一致の範囲を含む。プローブをフィルター結合ＤＮＡに組み入れるための高い緊張条件の一実施例は、５Ｘ  ＳＳＣ、２％ソディウムドデシルスルフェート（ＳＤＳ）、２０分間５５℃〜６５℃で１００μｇ／ｍｌ一本鎖ＤＮＡにして、０．１％ＳＤＳを含む０．１Ｘ  ＳＳＣにおいて２０分間に６０℃〜６５℃で洗浄する。
【００４０】
また、例えばデサチュラーゼｃＤＮＡの配列が周知であるとすれば、ＰＣＲプライマーは関連のある特定のデサチュラーゼを増幅するために作られてもよい。さらに、ＰＣＲプライマーは、追加のタンパク群を単離するためにデサチュラーゼ領域を保存するように作られてもよい。ＰＣＲ反応を実施するための手順は、公知技術であり、ＰＣＲ手順：Ｍ．イニス他による、方法および装置のガイド、アカデミックプレス、１９８９のようなマニュアルに記載されている。
【００４１】
いったん配列は、配列同一性、ハイブリッド形成、保存されたヒスチジンボックスの同定、またはその他の好ましい方法によって同定され、デサチュラーゼ活性は、いくつかの異なるアッセイを用いて分析することができる。一実施例として、本明細書中に参考として用いられる、米国特許出願番号５，９６８，８０９の実施例５〜７およびKnutzon他、Ｊ．Ｂｉｏｌ．Ｃｈｅｍ．２７３（４５）：２９３６０−２９３６６（１９９８）の両方に記載されているような酵母を用いる。酵母としては、Ｓａｃｈａｒｏｍｙｃｅｓ  ｃｅｒｅｖｉｓｉａｅまたは、ｏｌｅａｇｉｎｏｕｓ種でもよい。目的配列がベクターを発現する酵母に導入され、酵母に形質転換される。組換え酵母菌株は、様々な基質を含む培地において培養され、脂質画分における脂肪酸含量は、デサチュラーゼ活性を評価するために分析される。デルタ６デサチュラーゼ活性は、基質としてリノール酸を用いて、またガンマリノレン酸を検出することによって観察することができる。デルタ１２デサチュラーゼ活性は、リノレン酸への内因性オレイン酸の転換を検出することによって観察できる。
【００４２】
また、デサチュラーゼ活性は、Ａｒａｂｉｄｏｐｓｉｓを用いて評価することも可能である。目的配列は、Ａｒａｂｉｄｏｐｓｉｓに形質転換された適当なベクターに導入され、活性は遺伝子組換え植物の表現型を評価することによって検出される。また、想定されるデサチュラーゼ配列を含むベクターは葉に表現されるか、または遺伝子組換えクラウンゴールを発生させるために用いられてもよい。
【００４３】
上述したような方法を用いて、同定および単離された結果として生じたデサチュラーゼ配列は、その後、サムブルック，フリッチェおよびマニアティス、分子クローニング：実験マニュアル第２編（１９８９）または、分子生物学における最新の手順、Ｆ．Ｍ．オースベルその他、ｅｄｓ．（１９８７）に開示されている、分子生物学の周知方法を用いて以下に記載するような植物表現および、形質転換ベクターに導入される。
【００４４】
（デサチュラーゼ遺伝子の発現法）
デサチュラーゼポリペプチドの発現のため、構造上の転写および翻訳の開始および終止領域は、デサチュラーゼポリペプチドをコード化しているＤＮＡと連結して操作できる。転写および翻訳の開始および終止領域は、望ましいシステム、発現ベクター、化学合成、またはホスト細胞における内因性遺伝子座において発現することができると知られるか考えられる遺伝子を発現するためのＤＮＡを含む、様々な情報源から導かれる。植物組織および／または植物器官における発現、とりわけ、種子、葉、果実、花、および根等のような容易に収穫される組織または器官における発現はある効果をもたらす。米国特許番号５，４６３，１７４、米国特許番号４，９４３，６７４、米国特許番号５，１０６，７３９、米国特許番号５，１７５，０９５、米国特許番号５，４２０，０３４、米国特許番号５，１８８，９５８および、米国特許番号５，５８９，３７９に記載されているような発現は、特定調節配列を用いることによって、植物体内の位置付けるための標的とされ得る。これらの文献は、その全体が、その中において記載された特定配列とともに、参考として援用される。本発明によって産生されるＧＬＡの特に有効な配置は、ホスト植物細胞の種子組織である。種子に発現させるため、種子特異的プロモーターは適切なデサチュラーゼ発現に導くために用いられてもよい。上記種子特異的プロモーターの一実施例として、本明細書中において記載された特定配列とともに、参考として採用される、米国特許番号５，６２３，０６７、米国特許番号６，３４２，６５７および、米国特許番号６，６４２，４３７に開示されるものを含む。
【００４５】
ホスト細胞内における発現は、一過性または安定した方法で達成される。一過性の発現は、ホスト細胞において発現シグナル機能性を含む導入された構成物から生じるが、ホスト細胞においては構成物が複製せず、めったに融合しない場所であるか、またはホスト細胞は増殖型ではない場所である。また、一過性の発現は、関連する遺伝子に結合させて操作できる調節プロモーターの活性を含むことによって達成される。しかしながら、上記誘導システムは頻繁に発現の低い塩基レベルを示す。安定した発現は、ホストゲノムに取り入れることができ、ホスト細胞において自発的に複製する構成物の導入によって達成される。適切な選択マーカーは、周知技術のその他の遺伝子のうち、ｐａｔ（ホスホチリシンアセチルトランスフェラーゼ）遺伝子によってもたらされたハーバサイドバスタへの抵抗性および、ｎｐｔＩＩ（ネオマイシンホスホトランスフェラーゼ）遺伝子によってもたらされたカナマイシンへの抵抗性を有する。
【００４６】
関連する遺伝子の安定発現は、マーカーを発現する細胞を選び出すことによって、発現構成物を特定する選択可能マーカーの利用、または発現構成物に核酸導入されることによって選ばれる。安定した発現が融合に起因する場合は、構成物の融合がホストゲノム内においてランダムに生じ、また、ホスト遺伝子座と標的組換えに十分であるホストゲノムを有するホモロジー領域を含む構成物の利用によって、標的とされうる。構成物が内因性遺伝子座へ標的にされた場合、すべてまたはいくつかの転写および翻訳調節領域は内因性遺伝子座によってもたらされる。
【００４７】
種子におけるデサチュラーゼポリペプチドの発現のために、種子特異的プロモーターが用いられてもよい。上記プロモーターの一実施例としては、オレオシンまたはリニンプロモーターを含む。オレオシンプロモーターは、米国特許番号５，７９２，９２２において開示されており、リニンプロモーターは、米国特許番号６，７７７，５９１において開示されている。
【００４８】
二つ以上の識別遺伝子を発現することが望ましい場合、前記遺伝子は単一構成物内に含まれるか、または個々のベクター上に存在していてもよい。どちらの場合にも、技術水準の一つには、所望の産生物の合成に必要とされるすべての酵素の最適発現レベルをもたらすために導入された構成物の増殖における選択手段および方法の調節領域を選択することにおいて賢明な選択をする。
【００４９】
重要な遺伝子を含む構成物は、標準的な技術によってホスト細胞に導入されてもよい。これら技術は、転写、感染、生物学的影響、電気せん孔法、マイクロインジェクション、スクレーピング、またはその他、ホスト細胞へ重要な遺伝子を取り込む方法（米国特許番号４，７４３，５４８、米国特許番号４，７９５，８５５、米国特許番号５，０６８，１９３，米国特許番号５，１８８，９５８、米国特許番号５、４６３，１７４、米国特許番号５，５６５，３４６および、米国特許番号５，５６５，３４７を参照）を含む。便宜上、ＤＮＡ配列または構成物を取り上げるための方法によって操作されるホスト細胞は、本明細書中において、“形質転換”または“遺伝子組換え”として参照されている。対象ホストは、発現構成物の少なくとも一つのコピーを有しており、また、遺伝子がゲノムの１つ以上の部位に取り組まれるか否か（一箇所に複数コピーある場合を含む）、遺伝子が増幅されているか否か、および／または、多数のコピー数を有する染色体外要素に存在するか否かによって二つ以上を含んでもよい。
【００５０】
様々な植物の形質転換法が知られている。デルタ６およびデルタ１２デサチュラーゼ遺伝子は、ホルシュ（Ｈｏｒｓｃｈ）他、サイエンス２２７：１２２９、１９８５の記載通り、リーフディスク形質転換−新生手順によって、Ａｇｒｏｂａｃｔｅｒｉｕｍ共同育成を経て植物に導入可能である。プロトプラストの共同育成、形質転換された細胞の浮遊培養（バートン他、セル３２：１０３３，１９８３）、または花の真空浸透（べックトールド他、ＣＲ  Ａｃａｄ  Ｓｃｉｅ  ＩＩＩ，  Ｓｃｉ  Ｖｉｅ  ３１６：１１９４，  １９９３；ワン他、プラントセルＲｅｐ  ２２：２７４，２００３）のような、媒介されたＡｇｒｏｂａｃｔｅｒｉｕｍ形質転換におけるその他の方法（ホルシュ他、サイエンス２２３：４９６、１９８４；デブロック他、ＥＭＢＯ  Ｊ．２：２１４３，１９８４）は利用可能であり、本発明に係る適用範囲内である。好ましい形態として、植物はクレー他、Ａｎｎｕ  Ｒｅｖ  Ｐｌａｎｔ  Ｐｈｙｓｉｏｌ  ３８：４６７，１９８７に記載のような、Ａｇｒｏｂａｃｔｅｒｉｕｍを標的にするか、またはＡｇｒｏｂａｃｔｅｒｉｕｍを固定化したベクターを伴って形質転換される。しかしながら、その他の方法は、植物細胞へ本発明に係るデルタ６およびデルタ１２デサチュラーゼを取り入れることを可能にできる。
【００５１】
上記代替方法は、これに限定されないが、ベクターとして、生物学的な手法（クレイン他、ネイチャー３２７：７０，１９８７）、プロトプラスト法（シリートおよびパットリクス，組み替えＤＮＡ手順６８７，１９８９；デイビー他、Ｐｌａｎｔ  Ｍｏｌ  Ｂｉｏｌ  １３：２７３，１９８９）、化学的に誘発されたＤＮＡの取り込み（トプファ他、プラントセル１：１３３，１９８９）および、ウイルスまたは花粉の利用（Ohta，ＰＮＡＳ８３：７１５，１９８６）を含む。
【００５２】
形質転換法に必要な場合、本発明に係るデルタ６およびデルタ１２デサチュラーゼ遺伝子は、例えば、べヴァン（１９８４）核酸Ｒｅｓ．１２，８１１１に記載の二元性（ｂｉｎａｒｙ）ベクターのような、植物形質転換ベクターに取り入れることが可能である。植物形質転換ベクターは、Ａｇｒｏｂａｃｔｅｒｉｕｍ  ｔｕｍｅｆａｃｉａｎｓの自然（無修飾）遺伝子を修飾することによって得られてもよい。自然分類は、形質転換植物へ転写されたＴ−ＤＮＡとして知られる長い断片を有しているＴｉ（腫瘍誘発）−プラスミドを含む。その他ｖｉｒ領域のＴｉ−プラスミドの断片は、Ｔ−ＤＮＡ転写に関与する。Ｔ−ＤＮＡ領域は、終止繰り返し体に隣接される。修飾された二元性ベクターにおいて、腫瘍誘発遺伝子は削除され、ｖｉｒ領域の機能はＴ−ＤＮＡ隣接配列に隣接された外来ＤＮＡを転写するのに利用される。また、Ｔ−領域は抗生物質に対する抵抗性のための各種マーカーおよび、転写の配列を取り込むための多数のクローン化した部位を含む。上記人工的に作り出された菌株は、“不活性化された（disarmed）”Ａ．ｔｕｍｅｆａｃｉｅｎｓ菌株として知られ、植物の核ゲノムへＴ−領域に隣接された配列の有効な形質転換体を取り入れる。
【００５３】
表面滅菌された円盤状の薄い葉は、２日間培養され、その後抗生物質を含む培地へ移し換えられた“不活性化された（disarmed）”Ａ．ｔｕｍｅｆａｃｉｅｎｓを植菌される。形質転換された芽は、土壌に移し換えられ、再生された適切な抗生物質を含む培地の根が選ばれる。
【００５４】
形質転換されたホスト細胞は、誘発された構成物に含まれるマーカーの選択によって識別され得る。また、分離マーカー構成物は、多くの形質転換技術はホスト細胞へ多数のＤＮＡ分子を取り込むように、所望の構成物に導入されてもよい。とりわけ、形質転換されたホストは、選り抜きの培地で育てるためにそれらの能力が選ばれる。選り抜きの培地は、栄養または成長因子のような、形質転換されていないホストの成長に必要な抗生物質また欠損因子を取り込んでもよい。したがって、導入されたマーカー遺伝子は、形質転換されたホスト細胞に発現される場合、抗生物質に対する抵抗性を与えるか、必須成長因子または酵素をコード化し、選り抜きの培地での成長を可能にされてもよい。望ましくは、カナマイシンおよびアミノグリコシドＧ４１８への抵抗性は、興味深い（米国特許出願番号５，０３４，３２２を参照）。また、形質転換されたホストの選択は、直接的あるいは間接的に発現されたマーカータンパク質が検出された場合に起こり得る。マーカータンパク質は、単独またはその他のタンパク質と融合して発現されてもよい。マーカータンパク質は、その酵素活性によって検出されてもよい。；例えば、β−ガラクトシダーゼは、基質Ｘ−ガルを有色生成物質へ、またルシフェラーゼはルシフェリンを蛍光物質へ転換できる。マーカータンパク質は、その発光または、例えば、青色光に照射された場合に、Ａｅｑｕｏｒｅａ  ｖｉｃｔｏｒｉａの緑色蛍光タンパク質は発光するような、修飾された特質によって検出することができる。抗体は、マーカータンパク質または分子に例えば興味深いタンパク質を付加して検出に利用してもよい。マーカータンパク質を発現している細胞またはタグが、例えば視覚的に、またはＦＡＣＳか抗体によって抽出するような技術によって、選択されてもよい。
【００５５】
（ベニバナの形質転換）
ベニバナ植物の形質転換のために、少なくとも２つの基本的な識別方法がある。：（１）共同育成された子葉から誘発されるカルスからの芽の再生、および（２）共同育成された切除した分裂組織から直接的な多数の芽の再生。
【００５６】
方法１には、後にＡｇｒｏｂａｃｔｅｒｉｕｍ（イーン（Ｙｉｎｇ）他、プラントセルＲｅｐ１１：５８１，１９９２；オリコウスカ（Ｏｒｌｉｋｏｗｓｋａ）他ＰＣＴＯＣ４０：８５，１９９５）と共に培養するために、子葉外植片からのカルスの誘発を含む。上記方法は、カルス誘導培地（Ｂ５ビタミンを含むＭＳ塩）で３日間共同育成されている、切除した子葉から成る。外植片は芽を形成する培地（Ｂ５ビタミンおよび、カルベニシリンを含むＭＳ塩）に写し変えられて２日間培養され、その後カナマイシンを含む同様の培地に移し変えられる。２〜３週間後、再生している葉の組織は、ゲネチシン（Ｇｅｎｅｔｉｃｉｎ）を有する芽の伸張培地（１／２ＭＳ塩およびＭＳビタミン）に構成する外植片組織と共に移し変えられる。さらに２〜３週間後、伸張している芽は、遺伝子導入芽が正常なままであっても、形質転換されていない切断面またはキメラ芽が急速に褐変する点において、元の外植片組織から分離され、同じ培地に移される。正常な芽は、長さで少なくとも１０ｍｍの場合、発根培地（１／２ＭＳ塩およびＭＳビタミン）へ移される。平均２〜３の芽が１つの外植片から再生する。
【００５７】
方法２は、多数の芽が短時間にＡｇｒｏｂａｃｔｅｒｉｕｍ（ラオおよびローイニ、Ｐｌａｎｔ  Ｂｉｏｔｅｃｈｎｏｌ１６：２０１，１９９９）；ローイニおよびラオ、Ａｎｎａｌｓ  Ｂｏｔ８６：１０４３，２０００）．）との共培養の前に、切除した分裂組織から誘導される。方法２は、子葉（ｃｏｔｙｌｅｄｏｎａｒｙ）のこぶを取り除かれた子葉の１つを有している発芽種子の胚芽軸に孔を開けるために針を用いることを含む。その後、胚芽は１０分間、ワイナンズＡＢ培地のＡｇｒｏｂａｃｔｅｒｉｕｍの緩衝液において２８〜３０℃で浸漬され、静かにかき回される。２４時間、半固形ＭＳ基礎培地において共同培養した後、胚軸は１時間、静かにかき混ぜながら（８０ｒｐｍ）、液体ＭＳ基礎培地において、５００μｇ／ｍｌのセフォタキシムで徹底的に洗浄される。また、配軸は、育成室において無菌状況の下で発芽に要する水で湿らされたオートクレーブされたソイルライト（Soilrite）（vermiculite相当物）（チョウグル産業、Ｌｔｄ、バンガロール、インド）に設置される。５〜６日後、胚芽リングは容器の中のソイルライトに移され、それらが温室に移されるまで、少なくとも１０日間、成長室の環境下で成長することができる。上記容器は、初期には湿度を維持するためにポリエチレン袋で覆われている。成長室は、蛍光灯で１４時間明期の条件下において２６〜２８℃で維持される。方法１と比較して、本発明によって産生された主要な芽は、主に透過を示さない。未発達の胚は、その場合においてキメラであり、成功した形質転換は、Ｔ−ＤＮＡがさらなる再生器官を発生する分裂細胞層に組み入れられるかどうかによって決まる。本方法は、実質上、さらなる出発原料（成熟種子）および、方法１よりも育成室の空間を必要とする。
【００５８】
本発明に係る最適な実施形態は、遺伝子組換えベニバナ植物または、ＧＬＡを過剰生産しているＤＮＡコード化デサチュラーゼを発現するこれら植物の子孫を提供する。ベニバナは、植物油の原料として広く用いられるため、好都合なホスト植物である。ベニバナ植物細胞は、上述したいくつかの植物形質転換方法によって、単離されたＤＮＡコード化デルタ６デサチュラーゼまたは、デルタ６デサチュラーゼおよびデルタ１２デサチュラーゼと形質転換される。通常、カルス培養または薄い円盤状の葉において形質転換されたベニバナ植物細胞は、従来の技術水準の１つに知られている方法（例えば、ホルシュ他、サイエンス２２７：１１２９，１９８５）によって、完全な遺伝子組換え植物に再生される。形質転換されたベニバナ植物の子孫がＤＮＡコード化デサチュラーゼ遺伝子を受け継ぐため、形質転換された植物から得られた種子および切り枝は遺伝子組換え植物系統を維持するために用いられる。
【００５９】
本発明の一実施形態における方法には、ＤＮＡコード化デルタ６デサチュラーゼを、ＧＬＡ欠損またはＧＬＡが低レベルであるがＬＡを産生するベニバナ植物へ導入することを含む。もう１つの実施形態における方法は、ＧＬＡおよびＬＡの両方が不足する、ＤＮＡコード化デルタ１２デサチュラーゼおよびデルタ６デサチュラーゼベニバナ植物を有する、１つ以上の発現ベクターを導入することを含む。したがって、ＬＡおよびＧＬＡの両方が不足したベニバナ植物はデルタ１２デサチュラーゼの発現によってＬＡを産生することを誘発し、その結果、ＧＬＡはデルタ６デサチュラーゼの発現をするために生み出される。ＤＮＡコード化デルタ１２デサチュラーゼまたは、デルタ１２デサチュラーゼおよびデルタ６デサチュラーゼを有する発現ベクターは、
従来の技術水準の１つに知られている組換え技術の方法（サムブルック他、１９８９）およびデルタ１２デサチュラーゼの公開された配列（ワダ他、ネイチャー（ロンドン）３４７：２００，１９９０）によって構成され得る。上記ベクターの例は、本明細書中において公開される。
【００６０】
（ＧＬＡ含有油）
上述のような技術において知られる頬を用いることによって、ベニバナ植物中に生じたＧＬＡは、様々なベニバナ植物部位、特に種子から抽出されることができる。具体的には、種子は収穫され、ベニバナ種子から、主に種子を圧搾することによって油が抽出できる。また、その後いくつかの従来技術を用いて精製される。ベニバナ種子から油を抽出する方法は周知技術であり、スミスＪ．Ｒ、ベニバナ，ＡＯＣＳ  Ｐｒｅｓｓ，ｐｐ．１８５−２１２（１９９６）のような出典において提供されている。
【００６１】
対象方法および構成物を用いて産生されたＧＬＡは、ホスト植物組織および／または脂肪酸の存在しない植物部位において、またはアシルグリセロール、リン脂質、スルホン化脂質、または糖脂質のようなエステル化の形態において検出され、公知技術の様々な方法を介してホスト細胞から抽出されてもよい。上記方法には、有機溶媒、高周波分解、例えば二酸化炭素を用いた超臨界流体抽出、およびそれらの圧迫または結合のような物理的な手法による抽出を含んでもよい。特に好ましいのは、ヘキサン、プロパン、アセトン、またはエタノールによる抽出である。
【００６２】
本明細書中に記載されるＧＬＡは、栄養学上または日常生活手入れ組成物に関連がある。栄養学上の構成発明の例としては、これに限定されないが、特殊調整粉乳、栄養補助食品、栄養代用品、および経口組成物を含む。例えば、上記組成物は、これに限定されないが、マーガリン、調整バター、チーズ、ミルク、ヨーグルト、チョコレート、キャンディー、スナック、サラダ油、食用油、料理用油、肉、魚、および野菜に含まれているどんな種類の食物にも添加されてもよい。日常生活手入れ組成物の例として、スキンクリーム、バルム並びにローション、保湿剤、日焼け並びに日焼け後の製品、シャンプー、ヘアーコンディショナー、およびリップスティックを含む。本発明に係るＧＬＡが適用され得る利用の例として、例えば、米国特許番号６，６３５，４５１および５，７０９，８８８において開示され、それらの全体および開示された特定の方法を参考として採用する。
【００６３】
本明細書中に引用された特許文献は参考として援用される。下記の例は、説明する目的で提供されるものであり、本発明に係る範囲を限定することを目的としているのではない。
【実施例】
【００６４】
（実施例１：プラスミドｐＳＢＳ４７６６およびこのプラスミドを発現する遺伝子組換え植物）
図８はＭｏｒｔｉｅｒｅｌｌａ  ａｌｐｉｎａからデルタ６デサチュラーゼおよびデルタ１２デサチュラーゼを相互発現するために用いられた構成物の地図を示す。この構成物に用いられた植物選択可能なマーカーは、Ｓｔｒｅｐｔｏｍｙｃｅｓ  ｖｉｒｉｄｏｃｈｒｏｍｏｇｅｎｅｓから得られたホスホフィノチリシン（ｐｈｏｓｐｈｉｎｏｔｈｒｉｃｉｎ）アセチルトランスフェラーゼ遺伝子に相当するｐａｔである。この構成物に用いられた細菌性マーカーはＳｐｅｃＲである。このベクターを構成するために用いられた２元塩基ベクターは、ｐＰＺＰ２００誘導体である。ハイドキーウィクス（Ｈａｊｄｕｋｉｅｗｉｃｚ）他、Ｐｌａｎｔ  Ｍｏｌ  Ｂｉｏｌ２５：９８９，１９９４を参照のこと。ｐＰＺＰ２００プラスミドの周辺部内に含まれる挿入物の配列は下記に示す。
【００６５】
ｐＳＢＳ４７６６（Ｍ．ａｌｐｉｎａデルタ６およびデルタ１２デサチュラーゼＰＡＴ抽出二重発現カセット）（配列番号１）
ctgcaggaattcgatctctattgattcaaattacgatctgatactgataacgtctagatttttagggttaaagcaatcaatcacctgacgattcaaggtggttggatcatgacgattccagaaaacatcaagcaagctctcaaagctacactctttgggatcatactgaactctaacaacctcgttatgtcccgtagtgccagtacagacatcctcgtaactcggattgtgcacgatgccatgactatacccaacctcggtcttggtcacaccaggaactctctggtaagctagctccactccccagaaacaaccggcgccaaattgcgcgaattgctgacctgaagacggaacatcatcgtcgggtccttgggcgattgcggcggaagatgggtcagcttgggcttgaggacgagacccgaatccgagtctgttgaaaaggttgttcattggggatttgtatacggagattggtcgtcgagaggtttgagggaaaggacaaatgggtttggctctggagaaagagagtgcggctttagagagagaattgagaggtttagagagagatgcggcggcgatgagcggaggagagacgacgaggacctgcattatcaaagcagtgacgtggtgaaatttggaacttttaagaggcagatagatttattatttgtatccattttcttcattgttctagaatgtcgcggaacaaattttaaaactaaatcctaaatttttctaattttgttgccaatagtggatatgtgggccgtatagaaggaatctattgaaggcccaaacccatactgacgagcccaaaggttcgttttgcgttttatgtttcggttcgatgccaacgccacattctgagctaggcaaaaaacaaacgtgtctttgaatagactcctctcgttaacacatgcagcggctgcatggtgacgccattaacacgtggcctacaattgcatgatgtctccattgacacgtgacttctcgtctcctttcttaatatatctaacaaacactcctacctcttccaaaatatatacacatctttttgatcaatctctcattcaaaatctcattctctctagtaaacaagaacaaaaaaccatggctgctgctcccagtgtgaggacgtttactcgggccgaggttttgaatgccgaggctctgaatgagggcaagaaggatgccgaggcacccttcttgatgatcatcgacaacaaggtgtacgatgtccgcgagttcgtccctgatcatcccggtggaagtgtgattctcacgcacgttggcaaggacggcactgacgtctttgacacttttcaccccgaggctgcttgggagactcttgccaacttttacgttggtgatattgacgagagcgaccgcgatatcaagaatgatgactttgcggccgaggtccgcaagctgcgtaccttgttccagtctcttggttactacgattcttccaaggcatactacgccttcaaggtctcgttcaacctctgcatctggggtttgtcgacggtcattgtggccaagtggggccagacctcgaccctcgccaacgtgctctcggctgcgcttttgggtctgttctggcagcagtgcggatggttggctcacgactttttgcatcaccaggtcttccaggaccgtttctggggtgatcttttcggcgccttcttgggaggtgtctgccagggcttctcgtcctcgtggtggaaggacaagcacaacactcaccacgccgcccccaacgtccacggcgaggatcccgacattgacacccaccctctgttgacctggagtgagcatgcgttggagatgttctcggatgtcccagatgaggagctgacccgcatgtggtcgcgtttcatggtcctgaaccagacctggttttacttccccattctctcgtttgcccgtctctcctggtgcctccagtccattctctttgtgctgcctaacggtcaggcccacaagccctcgggcgcgcgtgtgcccatctcgttggtcgagcagctgtcgcttgcgatgcactggacctggtacctcgccaccatgttcctgttcatcaaggatcccgtcaacatgctggtgtactttttggtgtcgcaggcggtgtgcggaaacttgttggcgatcgtgttctcgctcaaccacaacggtatgcctgtgatctcgaaggaggaggcggtcgatatggatttcttcacgaagcagatcatcacgggtcgtgatgtccacccgggtctatttgccaactggttcacgggtggattgaactatcagatcgagcaccacttgttcccttcgatgcctcgccacaacttttcaaagatccagcctgctgtcgagaccctgtgcaaaaagtacaatgtccgataccacaccaccggtatgatcgagggaactgcagaggtctttagccgtctgaacgaggtctccaaggctgcctccaagatgggtaaggcgcagtaagcttgttaccccactgatgtcatcgtcatagtccaataactccaatgtcggggagttagtttatgaggaataaagtgtttagaatttgatcagggggagataataaaagccgagtttgaatctttttgttataagtaatgtttatgtgtgtttctatatgttgtcaaatggtcccatgtttttcttcctctctttttgtaacttgcaagtgttgtgttgtactttatttggcttctttgtaagttggtaacggtggtctatatatggaaaaggtcttgttttgttaaacttatgttagttaactggattcgtctttaaccacaaaaagttttcaataagctacaaatttagacacgcaagccgatgcagtcattagtacatatatttattgcaagtgattacatggcaacccaaacttcaaaaacagtaggttgctccatttagtaacctgaattgcctcctgattctagttgatcccggtaccgaattccaggaattcgatctctattgattcaaattacgatctgatactgataacgtctagatttttagggttaaagcaatcaatcacctgacgattcaaggtggttggatcatgacgattccagaaaacatcaagcaagctctcaaagctacactctttgggatcatactgaactctaacaacctcgttatgtcccgtagtgccagtacagacatcctcgtaactcggattgtgcacgatgccatgactatacccaacctcggtcttggtcacaccaggaactctctggtaagctagctccactccccagaaacaaccggcgccaaattgcgcgaattgctgacctgaagacggaacatcatcgtcgggtccttgggcgattgcggcggaagatgggtcagcttgggcttgaggacgagacccgaatccgagtctgttgaaaaggttgttcattggggatttgtatacggagattggtcgtcgagaggtttgagggaaaggacaaatgggtttggctctggagaaagagagtgcggctttagagagagaattgagaggtttagagagagatgcggcggcgatgagcggaggagagacgacgaggacctgcattatcaaagcagtgacgtggtgaaatttggaacttttaagaggcagatagatttattatttgtatccattttcttcattgttctagaatgtcgcggaacaaattttaaaactaaatcctaaatttttctaattttgttgccaatagtggatatgtgggccgtatagaaggaatctattgaaggcccaaacccatactgacgagcccaaaggttcgttttgcgttttatgtttcggttcgatgccaacgccacattctgagctaggcaaaaaacaaacgtgtctttgaatagactcctctcgttaacacatgcagcggctgcatggtgacgccattaacacgtggcctacaattgcatgatgtctccattgacacgtgacttctcgtctcctttcttaatatatctaacaaacactcctacctcttccaaaatatatacacatctttttgatcaatctctcattcaaaatctcattctctctagtaaacaagaacaaaaaaccatggcacctcccaacactatcgatgccggtttgacccagcgtcatatcagcacctcggccccaaactcggccaagcctgccttcgagcgcaactaccagctccccgagttcaccatcaaggagatccgagagtgcatccctgcccactgctttgagcgctccggtctccgtggtctctgccacgttgccatcgatctgacttgggcgtcgctcttgttcctggctgcgacccagatcgacaagtttgagaatcccttgatccgctatttggcctggcctgtttactggatcatgcagggtattgtctgcaccggtgtctgggtgctggctcacgagtgtggtcatcagtccttctcgacctccaagaccctcaacaacacagttggttggatcttgcactcgatgctcttggtcccctaccactcctggagaatctcgcactcgaagcaccacaaggccactggccatatgaccaaggaccaggtctttgtgcccaagacccgctcccaggttggcttgcctcccaaggagaacgctgctgctgccgttcaggaggaggacatgtccgtgcacctggatgaggaggctcccattgtgactttgttctggatggtgatccagttcttgttcggatggcccgcgtacctgattatgaacgcctctggccaagactacggccgctggacctcgcacttccacacgtactcgcccatctttgagccccgcaactttttcgacattattatctcggacctcggtgtgttggctgccctcggtgccctgatctatgcctccatgcagttgtcgctcttgaccgtcaccaagtactatattgtcccctacctctttgtcaacttttggttggtcctgatcaccttcttgcagcacaccgatcccaagctgccccattaccgcgagggtgcctggaatttccagcgtggagctctttgcaccgttgaccgctcgtttggcaagttcttggaccatatgttccacggcattgtccacacccatgtggcccatcacttgttctcgcaaatgccgttctaccatgctgaggaagctacctatcatctcaagaaactgctgggagagtactatgtgtacgacccatccccgatcgtcgttgcggtctggaggtcgttccgtgagtgccgattcgtggaggatcagggagacgtggtctttttcaagaagtaagcttgttaccccactgatgtcatcgtcatagtccaataactccaatgtcggggagttagtttatgaggaataaagtgtttagaatttgatcagggggagataataaaagccgagtttgaatctttttgttataagtaatgtttatgtgtgtttctatatgttgtcaaatggtcccatgtttttcttcctctctttttgtaacttgcaagtgttgtgttgtactttatttggcttctttgtaagttggtaacggtggtctatatatggaaaaggtcttgttttgttaaacttatgttagttaactggattcgtctttaaccacaaaaagttttcaataagctacaaatttagacacgcaagccgatgcagtcattagtacatatatttattgcaagtgattacatggcaacccaaacttcaaaaacagtaggttgctccatttagtaacctgaattgcctcctgattctagttgatcccggtgaatccaaaaattacggatatgaatataggcatatccgtatccgaattatccgtttgacagctagcaacgattgtacaattgcttctttaaaaaaggaagaaagaaagaaagaaaagaatcaacatcagcgttaacaaacggccccgttacggcccaaacggtcatatagagtaacggcgttaagcgttgaaagactcctatcgaaatacgtaaccgcaaacgtgtcatagtcagatcccctcttccttcaccgcctcaaacacaaaaataatcttctacagcctatatatacaacccccccttctatctctcctttctcacaattcatcatctttctttctctacccccaattttaagaaatcctctcttctcctcttcattttcaaggtaaatctctctctctctctctctctctgttattccttgttttaattaggtatgtattattgctagtttgttaatctgcttatcttatgtatgccttatgtgaatatctttatcttgttcatctcatccgtttagaagctataaatttgttgatttgactgtgtatctacacgtggttatgtttatatctaatcagatatgaatttcttcatattgttgcgtttgtgtgtaccaatccgaaatcgttgatttttttcatttaatcgtgtagctaattgtacgtatacatatggatctacgtatcaattgttcatctgtttgtgtttgtatgtatacagatctgaaaacatcacttctctcatctgattgtgttgttacatacatagatatagatctgttatatcatttttttattaattgtgtatatatatatgtgcatagatctggattacatgattgtgattatttacatgattttgttatttacgtatgtatatatgtagatctggactttttggagttgttgacttgattgtatttgtgtgtgtatatgtgtgttctgatcttgatatgttatgtatgtgcagccaaggctacgggcgatccaccatgtctccggagaggagaccagttgagattaggccagctacagcagctgatatggccgcggtttgtgatatcgttaaccattacattgagacgtctacagtgaactttaggacagagccacaaacaccacaagagtggattgatgatctagagaggttgcaagatagatacccttggttggttgctgaggttgagggtgttgtggctggtattgcttacgctgggccctggaaggctaggaacgcttacgattggacagttgagagtactgtttacgtgtcacataggcatcaaaggttgggcctaggttccacattgtacacacatttgcttaagtctatggaggcgcaaggttttaagtctgtggttgctgttataggccttccaaacgatccatctgttaggttgcatgaggctttgggatacacagcccggggtacattgcgcgcagctggatacaagcatggtggatggcatgatgttggtttttggcaaagggattttgagttgccagctcctccaaggccagttaggccagttacccagatctgagtcgaccgaatgagttccaagatggtttgtgacgaagttagttggttgtttttatggaactttgtttaagctagcttgtaatgtggaaagaacgtgtggctttgtggtttttaaatgttggtgaataaagatgtttcctttggattaactagtatttttcctattggtttcatggttttagcacacaacattttaaatatgctgttagatgatatgctgcctgctttattatttacttacccctcaccttcagtttcaaagttgttgcaatgactctgtgtagtttaagatcgagtgaaagtagattttgtctatatttattaggggtatttgatatgctaatggtaaacatggtttatgacagcgtacttttttggttatggtgttgacgtttccttttaaacattatagtagcgtccttggtctgtgttcattggttgaacaaaggcacactcacttggagatgccgtctccactgatatttgaacaaa
【００６６】
この構成物を有するベニバナの形質転換は、セムバイオシス，ジェネティクス株式会社（カルガリー、カナダ）により実証された。手法として、本明細書中において参考として援用されるＷＯ２００４／１１１２４４の記載を含む、セムバイオシス，ジェネティクス株式会社を利用した。遺伝子組換え植物が栽培され、種子が収穫された。
【００６７】
脂肪酸値の測定は、遺伝子組換え植物から生じる種子において実施された。種子は遺伝子組換え植物から選択され、脂肪酸組成物は“公式方法および推奨されたＡＯＣＳの実践”第５編、方法Ｃｅ１〜６２、米国油化学者協会：シャンペーン、イリノイ（１９９７）に記載のガスクロマトグラフィー法の改良法を利用して実証された。この方法において、油は、塩酸によって加水分解され、メチルエステルを形成するメタノールと反応される種子から抽出されたヘキサンである。その後、メチルエステルはガスクロマトグラフィーによって内部標準に対して定量化された。
【００６８】
ｐＳＢＳ４７６６組成物を発現する遺伝子組換え植物のＴ１種子の１０種子プールにおける脂肪酸組成物は、下記の表１に示す。デルタ６デサチュラーゼ遺伝子の活性ははっきりと遺伝子組換え系統におけるＧＬＡの存在によって証明される。ＧＬＡは表１におけるＳ３１７コントロールのうち、０．０３％から０．０４％の範囲だけれども、Ｔ１プローブされた種子における０．５％から３０．８％に及ぶ。これは、ＧＬＡ濃度において５０％増加する。１８：４において少ないが十分な増加は、最も高いGLAを有する系統に見られる。デルタ６デサチュラーゼ遺伝子がＧＬＡ産生に１８：２で作用し、１８：３（ＡＬＡ）から１８：３を産生できるように予測される。デルタ１２デサチュラーゼ活性は、１８：１脂肪酸における減少によって証明される。表１のＳ３１７コントロールにおいて、ＯＡは３．６８％から７３．５１％の範囲における遺伝子組み換え系列のうちの、７３．７６％から７５．８％の範囲にわたる。全体としては、データは、本発明によってベニバナ中に得られるＧＬＡ濃度の広い範囲を示す。
【００６９】
表１：Ｓ３１７において発現されるｐＳＢＳ４７６６組成物のＴ１種から成る１０種のプールにおける脂肪酸組成物（パーセンテージとして表される）の例
【００７０】
【表１】
2008545411.tif 000003
【００７１】
S317コントロール系統から得られた単一種子サンプルにおける脂肪酸組成は、以下の表２に示す。４つの複製（S0-1, S0-2, S0-3, S0-4）が起こった。単一種子データは、１０種のプールデータと同等である。
【００７２】
表２：コントロール系統（S0で示されたS317）から得られた４つの単一種子サンプルにおける脂肪酸組成。
【００７３】
【表２】
2008545411.tif 000004
【００７４】
pSBS4766構成物を発現している遺伝子組換え植物の５系列（S1, S4, S5, S24, S27）から得られた単一種子における脂肪酸組成を以下の表３〜７に示す。８〜９回複製種子からのデータが提供された。可能な場合、各遺伝子組換え系列のNULLコントロール系統の単一種子の評価は、比較のために用意された。
【００７５】
【表３】
2008545411.tif 000005
【００７６】
【表４】
2008545411.tif 000006
【００７７】
【表５】
2008545411.tif 000007
【００７８】
【表６】
2008545411.tif 000008
【００７９】
【表７】
2008545411.tif 000009
【００８０】
単一種子データは、上記貯留された種子データに見られる傾向に従う。T1系統がまだ分離しているため、多少のばらつきはゼロ、ヘテロ接合、およびホモ接合取り込みをするために単一種子サンプル中に含まれ得る。観察されたＧＬＡ濃度は、１．４％（表３：ライン１の種子１、Ｓ１−１）から５０．８％（表７：ライン２７の種子２、Ｓ２７−２）の範囲であった。単一の種子データまたはプールされた種子データからの種子オイルのプロファイルを有するラインが、取得され得る。いくつかのラインは、種子を作らなかった。種子を作るラインが、調査のために選択された。
【００８１】
pSBS4766構成物を発現する系統であるT1およびT2世代から得られた種子の脂肪酸組成は以下の表８に示す。
【００８２】
表８：S317において発現されたpSBS4766構成物のT1およびT2それぞれの系統における単一種子脂肪酸組成（パーセンテージで表される）の例
【００８３】
【表８】
2008545411.tif 000010
【００８４】
T2種の脂肪酸組成は、T1種において測定されたものを含む構成である。GLAが世代を超えて一貫して高発現しているならば、これらのデータは、トランス遺伝子が不変であり、遺伝性であることを示す。
【００８５】
（実施例２：プラスミドpSBS4119および、このプラスミドを発現している遺伝子組換え植物）
図９はＳａｐｒｏｌｅｇｎｉａ  ｄｉｃｌｉｎａ由来のデルタ６デサチュラーゼを発現するために利用される構成物のマップを示す。この構成物中において利用される植物性選択マーカーは、Ｓｔｒｅｐｔｏｍｙｃｅｓ  ｖｉｒｉｄｏｃｈｒｏｍｏｇｅｎｅｓ由来のホスフィノチリシンアセチルトランスフェラーゼ遺伝子に相当するｐａｔであった。この構成物中において利用される細菌性マーカーは、ＳｐｅｃＲであった。このベクターを構成するために使用された塩基二元性ベクターは、ｐＰＺＰ２００誘導体である。ハイドキエウィクス（Ｈａｊｄｕｋｉｅｗｉｃｚ）他、Ｐｌａｎｔ  Ｍｏｌ  Ｂｉｏｌ  ２５：  ９８９，１９９４を参照。挿入配列は、ｐＰＺＰ２００プラスミドの辺縁の中に含まれる。
【００８６】
ｐＳＢＳ４１１９（ＰＡＴ選択を伴うＳ．  ｄｉｃｌｉｎａ  デルタ６デサチュラーゼ  発現カセット）（配列番号２）
ctgcaggaattcgatctctattgattcaaattacgatctgatactgataacgtctagatttttagggttaaagcaatcaatcacctgacgattcaaggtggttggatcatgacgattccagaaaacatcaagcaagctctcaaagctacactctttgggatcatactgaactctaacaacctcgttatgtcccgtagtgccagtacagacatcctcgtaactcggattgtgcacgatgccatgactatacccaacctcggtcttggtcacaccaggaactctctggtaagctagctccactccccagaaacaaccggcgccaaattgcgcgaattgctgacctgaagacggaacatcatcgtcgggtccttgggcgattgcggcggaagatgggtcagcttgggcttgaggacgagacccgaatccgagtctgttgaaaaggttgttcattggggatttgtatacggagattggtcgtcgagaggtttgagggaaaggacaaatgggtttggctctggagaaagagagtgcggctttagagagagaattgagaggtttagagagagatgcggcggcgatgagcggaggagagacgacgaggacctgcattatcaaagcagtgacgtggtgaaatttggaacttttaagaggcagatagatttattatttgtatccattttcttcattgttctagaatgtcgcggaacaaattttaaaactaaatcctaaatttttctaattttgttgccaatagtggatatgtgggccgtatagaaggaatctattgaaggcccaaacccatactgacgagcccaaaggttcgttttgcgttttatgtttcggttcgatgccaacgccacattctgagctaggcaaaaaacaaacgtgtctttgaatagactcctctcgttaacacatgcagcggctgcatggtgacgccattaacacgtggcctacaattgcatgatgtctccattgacacgtgacttctcgtctcctttcttaatatatctaacaaacactcctacctcttccaaaatatatacacatctttttgatcaatctctcattcaaaatctcattctctctagtaaacaagaacaaaaaaccatggtccaggggcaaaaggccgagaagatctcgtgggcgaccatccgtgagcacaaccgccaagacaacgcgtggatcgtgatccaccacaaggtgtacgacatctcggcctttgaggaccacccgggcggcgtcgtcatgttcacgcaggccggcgaagacgcgaccgatgcgttcgctgtcttccacccgagctcggcgctcaagctcctcgagcagtactacgtcggcgacgtcgaccagtcgacggcggccgtcgacacgtcgatctcggacgaggtcaagaagagccagtcggacttcattgcgtcgtaccgcaagctgcgccttgaagtcaagcgcctcggcttgtacgactcgagcaagctctactacctctacaagtgcgcctcgacgctgagcattgcgcttgtgtcggcggccatttgcctccactttgactcgacggccatgtacatggtcgcggctgtcatccttggcctcttttaccagcagtgcggctggctcgcccatgactttctgcaccaccaagtgtttgagaaccacttgtttggcgacctcgtcggcgtcatggtcggcaacctctggcagggcttctcggtgcagtggtggaagaacaagcacaacacgcaccatgcgatccccaacctccacgcgacgcccgagatcgccttccacggcgacccggacattgacacgatgccgattctcgcgtggtcgctcaagatggcgcagcacgcggtcgactcgcccgtcgggctcttcttcatgcgctaccaagcgtacctgtactttcccatcttgctctttgcgcgtatctcgtgggtgatccagtcggccatgtacgccttctacaacgttgggcccggcggcacctttgacaaggtccagtacccgctgctcgagcgcgccggcctcctcctctactacggctggaacctcggccttgtgtacgcagccaacatgtcgctgctccaagcggctgcgttcctctttgtgagccaggcgtcgtgcggcctcttcctcgcgatggtctttagcgtcggccacaacggcatggaggtctttgacaaggacagcaagcccgatttttggaagctgcaagtgctctcgacgcgcaacgtgacgtcgtcgctctggatcgactggttcatgggcggcctcaactaccagatcgaccaccacttgttcccgatggtgccccggcacaacctcccggcgctcaacgtgctcgtcaagtcgctctgcaagcagtacgacatcccataccacgagacgggcttcatcgcgggcatggccgaggtcgtcgtgcacctcgagcgcatctcgatcgagttcttcaaggagtttcccgccatgtaagcttgttaccccactgatgtcatcgtcatagtccaataactccaatgtcggggagttagtttatgaggaataaagtgtttagaatttgatcagggggagataataaaagccgagtttgaatctttttgttataagtaatgtttatgtgtgtttctatatgttgtcaaatggtcccatgtttttcttcctctctttttgtaacttgcaagtgttgtgttgtactttatttggcttctttgtaagttggtaacggtggtctatatatggaaaaggtcttgttttgttaaacttatgttagttaactggattcgtctttaaccacaaaaagttttcaataagctacaaatttagacacgcaagccgatgcagtcattagtacatatatttattgcaagtgattacatggcaacccaaacttcaaaaacagtaggttgctccatttagtaacctgaattgcctcctgattctagttgatcccggtaccgaattcgaatccaaaaattacggatatgaatataggcatatccgtatccgaattatccgtttgacagctagcaacgattgtacaattgcttctttaaaaaaggaagaaagaaagaaagaaaagaatcaacatcagcgttaacaaacggccccgttacggcccaaacggtcatatagagtaacggcgttaagcgttgaaagactcctatcgaaatacgtaaccgcaaacgtgtcatagtcagatcccctcttccttcaccgcctcaaacacaaaaataatcttctacagcctatatatacaacccccccttctatctctcctttctcacaattcatcatctttctttctctacccccaattttaagaaatcctctcttctcctcttcattttcaaggtaaatctctctctctctctctctctctgttattccttgttttaattaggtatgtattattgctagtttgttaatctgcttatcttatgtatgccttatgtgaatatctttatcttgttcatctcatccgtttagaagctataaatttgttgatttgactgtgtatctacacgtggttatgtttatatctaatcagatatgaatttcttcatattgttgcgtttgtgtgtaccaatccgaaatcgttgatttttttcatttaatcgtgtagctaattgtacgtatacatatggatctacgtatcaattgttcatctgtttgtgtttgtatgtatacagatctgaaaacatcacttctctcatctgattgtgttgttacatacatagatatagatctgttatatcatttttttattaattgtgtatatatatatgtgcatagatctggattacatgattgtgattatttacatgattttgttatttacgtatgtatatatgtagatctggactttttggagttgttgacttgattgtatttgtgtgtgtatatgtgtgttctgatcttgatatgttatgtatgtgcagccaaggctacgggcgatccaccatgtctccggagaggagaccagttgagattaggccagctacagcagctgatatggccgcggtttgtgatatcgttaaccattacattgagacgtctacagtgaactttaggacagagccacaaacaccacaagagtggattgatgatctagagaggttgcaagatagatacccttggttggttgctgaggttgagggtgttgtggctggtattgcttacgctgggccctggaaggctaggaacgcttacgattggacagttgagagtactgtttacgtgtcacataggcatcaaaggttgggcctaggttccacattgtacacacatttgcttaagtctatggaggcgcaaggttttaagtctgtggttgctgttataggccttccaaacgatccatctgttaggttgcatgaggctttgggatacacagcccggggtacattgcgcgcagctggatacaagcatggtggatggcatgatgttggtttttggcaaagggattttgagttgccagctcctccaaggccagttaggccagttacccagatctgagtcgaccgaatgagttccaagatggtttgtgacgaagttagttggttgtttttatggaactttgtttaagctagcttgtaatgtggaaagaacgtgtggctttgtggtttttaaatgttggtgaataaagatgtttcctttggattaactagtatttttcctattggtttcatggttttagcacacaacattttaaatatgctgttagatgatatgctgcctgctttattatttacttacccctcaccttcagtttcaaagttgttgcaatgactctgtgtagtttaagatcgagtgaaagtagattttgtctatatttattaggggtatttgatatgctaatggtaaacatggtttatgacagcgtacttttttggttatggtgttgacgtttccttttaaacattatagtagcgtccttggtctgtgttcattggttgaacaaaggcacactcacttggagatgccgtctccactgatatttgaacaaa
【００８７】
この構成物を含むベニバナの形質転換は、セムバイオシス，ジェネティクス株式会社（カルガリー、カナダ）により実証された。手法として本明細書中において参考として採用されるＷＯ２００４／１１１２４４の記載を含む、セムバイオシス，ジェネティクス株式会社を利用した。また、遺伝子組換え植物が栽培され、種子が収穫された。
【００８８】
遺伝子組換え植物および脂肪酸組成物から採取された種子は、“公式方法および推奨されたＡＯＣＳの実践”第５編、方法Ｃｅ１〜６２、米国油化学者協会：シャンペーン、イリノイ（１９９７）に記載のガスクロマトグラフィー法の改良法を利用して実証された。
【００８９】
下記の表９に示すように、ＧＬＡレベルは、ｐＳＢＳ４１１９構成物におけるＳ．ｄｉｃｌｉｎａ由来のデルタ６デサチュラーゼを発現している遺伝子組換え系統由来のＴ１種子における１１．４１％（４１１９−２３−１系列）から７２．８９％（４１１９−２１−３系列）に及ぶ。６０％以上のＧＬＡレベルは各遺伝子組換え系列において得られた。Ｔ１系列が分離しているままのため、単一種子サンプルの測定はゼロ、ヘテロ接合、およびホモ接合取り込みのために変化し得る。センテニアル種はLAにおいて必然的に高くなり、デルタ６デサチュラーゼ単独の遺伝子組換え発現はＧＬＡレベルを上昇するの十分である。
【００９０】
表９：センテニアルにおいて発現されたpSBS4119構成物のＴ１種子における単一種子脂肪酸組成（パーセンテージで表した）の例
【００９１】
【表９】
2008545411.tif 000011
【００９２】
（実施例３：pSBS4763プラスミドおよびこのプラスミドを発現している遺伝子組換え植物）
図１０は、Mortierella alpina由来デルタ６デサチュラーゼを発現するために利用された構成物のマップを示す。この構成物に用いられた植物性選択マーカーはStreptomyces viridochromogenes由来ホスフィノチリシンアセチルトランスフェラーゼ遺伝子に相当するpatである。この構成物中において利用される細菌性マーカーは、ＳｐｅｃＲであった。このベクターを構成するために使用された塩基二元性ベクターは、ｐＰＺＰ２００誘導体である。ハイドキエウィクス（Ｈａｊｄｕｋｉｅｗｉｃｚ）他、Ｐｌａｎｔ  Ｍｏｌ  Ｂｉｏｌ  ２５：  ９８９，１９９４を参照。挿入配列は、ｐＰＺＰ２００プラスミドの辺縁の中に含まれる。
【００９３】
ｐＳＢＳ４７６３  （ＰＡＴ選択を伴うＭ．ａｌｐｉｎａデルタ６デサチュラーゼ発現カセット）（配列番号３）
ctgcaggaattcgatctctattgattcaaattacgatctgatactgataacgtctagatttttagggttaaagcaatcaatcacctgacgattcaaggtggttggatcatgacgattccagaaaacatcaagcaagctctcaaagctacactctttgggatcatactgaactctaacaacctcgttatgtcccgtagtgccagtacagacatcctcgtaactcggattgtgcacgatgccatgactatacccaacctcggtcttggtcacaccaggaactctctggtaagctagctccactccccagaaacaaccggcgccaaattgcgcgaattgctgacctgaagacggaacatcatcgtcgggtccttgggcgattgcggcggaagatgggtcagcttgggcttgaggacgagacccgaatccgagtctgttgaaaaggttgttcattggggatttgtatacggagattggtcgtcgagaggtttgagggaaaggacaaatgggtttggctctggagaaagagagtgcggctttagagagagaattgagaggtttagagagagatgcggcggcgatgagcggaggagagacgacgaggacctgcattatcaaagcagtgacgtggtgaaatttggaacttttaagaggcagatagatttattatttgtatccattttcttcattgttctagaatgtcgcggaacaaattttaaaactaaatcctaaatttttctaattttgttgccaatagtggatatgtgggccgtatagaaggaatctattgaaggcccaaacccatactgacgagcccaaaggttcgttttgcgttttatgtttcggttcgatgccaacgccacattctgagctaggcaaaaaacaaacgtgtctttgaatagactcctctcgttaacacatgcagcggctgcatggtgacgccattaacacgtggcctacaattgcatgatgtctccattgacacgtgacttctcgtctcctttcttaatatatctaacaaacactcctacctcttccaaaatatatacacatctttttgatcaatctctcattcaaaatctcattctctctagtaaacaagaacaaaaaaccatggctgctgctcccagtgtgaggacgtttactcgggccgaggttttgaatgccgaggctctgaatgagggcaagaaggatgccgaggcacccttcttgatgatcatcgacaacaaggtgtacgatgtccgcgagttcgtccctgatcatcccggtggaagtgtgattctcacgcacgttggcaaggacggcactgacgtctttgacacttttcaccccgaggctgcttgggagactcttgccaacttttacgttggtgatattgacgagagcgaccgcgatatcaagaatgatgactttgcggccgaggtccgcaagctgcgtaccttgttccagtctcttggttactacgattcttccaaggcatactacgccttcaaggtctcgttcaacctctgcatctggggtttgtcgacggtcattgtggccaagtggggccagacctcgaccctcgccaacgtgctctcggctgcgcttttgggtctgttctggcagcagtgcggatggttggctcacgactttttgcatcaccaggtcttccaggaccgtttctggggtgatcttttcggcgccttcttgggaggtgtctgccagggcttctcgtcctcgtggtggaaggacaagcacaacactcaccacgccgcccccaacgtccacggcgaggatcccgacattgacacccaccctctgttgacctggagtgagcatgcgttggagatgttctcggatgtcccagatgaggagctgacccgcatgtggtcgcgtttcatggtcctgaaccagacctggttttacttccccattctctcgtttgcccgtctctcctggtgcctccagtccattctctttgtgctgcctaacggtcaggcccacaagccctcgggcgcgcgtgtgcccatctcgttggtcgagcagctgtcgcttgcgatgcactggacctggtacctcgccaccatgttcctgttcatcaaggatcccgtcaacatgctggtgtactttttggtgtcgcaggcggtgtgcggaaacttgttggcgatcgtgttctcgctcaaccacaacggtatgcctgtgatctcgaaggaggaggcggtcgatatggatttcttcacgaagcagatcatcacgggtcgtgatgtccacccgggtctatttgccaactggttcacgggtggattgaactatcagatcgagcaccacttgttcccttcgatgcctcgccacaacttttcaaagatccagcctgctgtcgagaccctgtgcaaaaagtacaatgtccgataccacaccaccggtatgatcgagggaactgcagaggtctttagccgtctgaacgaggtctccaaggctgcctccaagatgggtaaggcgcagtaagcttgttaccccactgatgtcatcgtcatagtccaataactccaatgtcggggagttagtttatgaggaataaagtgtttagaatttgatcagggggagataataaaagccgagtttgaatctttttgttataagtaatgtttatgtgtgtttctatatgttgtcaaatggtcccatgtttttcttcctctctttttgtaacttgcaagtgttgtgttgtactttatttggcttctttgtaagttggtaacggtggtctatatatggaaaaggtcttgttttgttaaacttatgttagttaactggattcgtctttaaccacaaaaagttttcaataagctacaaatttagacacgcaagccgatgcagtcattagtacatatatttattgcaagtgattacatggcaacccaaacttcaaaaacagtaggttgctccatttagtaacctgaattgcctcctgattctagttgatcccggtaccgaattcgaatccaaaaattacggatatgaatataggcatatccgtatccgaattatccgtttgacagctagcaacgattgtacaattgcttctttaaaaaaggaagaaagaaagaaagaaaagaatcaacatcagcgttaacaaacggccccgttacggcccaaacggtcatatagagtaacggcgttaagcgttgaaagactcctatcgaaatacgtaaccgcaaacgtgtcatagtcagatcccctcttccttcaccgcctcaaacacaaaaataatcttctacagcctatatatacaacccccccttctatctctcctttctcacaattcatcatctttctttctctacccccaattttaagaaatcctctcttctcctcttcattttcaaggtaaatctctctctctctctctctctctgttattccttgttttaattaggtatgtattattgctagtttgttaatctgcttatcttatgtatgccttatgtgaatatctttatcttgttcatctcatccgtttagaagctataaatttgttgatttgactgtgtatctacacgtggttatgtttatatctaatcagatatgaatttcttcatattgttgcgtttgtgtgtaccaatccgaaatcgttgatttttttcatttaatcgtgtagctaattgtacgtatacatatggatctacgtatcaattgttcatctgtttgtgtttgtatgtatacagatctgaaaacatcacttctctcatctgattgtgttgttacatacatagatatagatctgttatatcatttttttattaattgtgtatatatatatgtgcatagatctggattacatgattgtgattatttacatgattttgttatttacgtatgtatatatgtagatctggactttttggagttgttgacttgattgtatttgtgtgtgtatatgtgtgttctgatcttgatatgttatgtatgtgcagccaaggctacgggcgatccaccatgtctccggagaggagaccagttgagattaggccagctacagcagctgatatggccgcggtttgtgatatcgttaaccattacattgagacgtctacagtgaactttaggacagagccacaaacaccacaagagtggattgatgatctagagaggttgcaagatagatacccttggttggttgctgaggttgagggtgttgtggctggtattgcttacgctgggccctggaaggctaggaacgcttacgattggacagttgagagtactgtttacgtgtcacataggcatcaaaggttgggcctaggttccacattgtacacacatttgcttaagtctatggaggcgcaaggttttaagtctgtggttgctgttataggccttccaaacgatccatctgttaggttgcatgaggctttgggatacacagcccggggtacattgcgcgcagctggatacaagcatggtggatggcatgatgttggtttttggcaaagggattttgagttgccagctcctccaaggccagttaggccagttacccagatctgagtcgaccgaatgagttccaagatggtttgtgacgaagttagttggttgtttttatggaactttgtttaagctagcttgtaatgtggaaagaacgtgtggctttgtggtttttaaatgttggtgaataaagatgtttcctttggattaactagtatttttcctattggtttcatggttttagcacacaacattttaaatatgctgttagatgatatgctgcctgctttattatttacttacccctcaccttcagtttcaaagttgttgcaatgactctgtgtagtttaagatcgagtgaaagtagattttgtctatatttattaggggtatttgatatgctaatggtaaacatggtttatgacagcgtacttttttggttatggtgttgacgtttccttttaaacattatagtagcgtccttggtctgtgttcattggttgaacaaaggcacactcacttggagatgccgtctccactgatatttgaaca
【００９４】
この構成物に含まれるベニバナの形質転換は、セムバイオシス，ジェネティクス株式会社（カルガリー、カナダ）により実証された。手法として本明細書中において参考として採用されるＷＯ２００４／１１１２４４の記載を含む、セムバイオシス，ジェネティクス株式会社を利用した。また、遺伝子組換え植物が栽培され、種子が収穫された。
【００９５】
遺伝子組換え植物および脂肪酸組成物から採取された種子は、“公式方法および推奨されたＡＯＣＳの実践”第５編、方法Ｃｅ１〜６２、米国油化学者協会：シャンペーン、イリノイ（１９９７）に記載のガスクロマトグラフィー法の改良法を利用して実証された。
【００９６】
下記の表１０に示すように、ＧＬＡレベルは、ｐＳＢＳ4763構成物におけるM. alpina由来のデルタ６デサチュラーゼを発現している遺伝子組換え系統由来のＴ１種子における7.8% (4763-13-2系列) から50.19% （4763-28-1系列)に及ぶ。Ｔ１系列が分離しているままのため、単一種子サンプルの測定はゼロ、ヘテロ接合、およびホモ接合取り込みのために変化し得る。センテニアルコントロールおよびゼロコントロール系列におけるGLAレベルは０．０５または下記の値である。センテニアルにおけるLAレベルは必然的に高くなり、センテニアルにおけるＧＬＡレベルはデルタ６デサチュラーゼのみの発現を伴って、上昇可能である。
【００９７】
表１０：センテニアルにおいて発現されたpSBS4763構成物のT1種子の単一種子脂肪酸組成の例
【００９８】
【表１０】
2008545411.tif 000012
【００９９】
これらのデータは、様々な原料由来のデルタ６デサチュラーゼは、ベニバナにおいてGLA産物を増加させるために利用できることを示す。センテニアル種であるようなLAにおいて必然的に高い、植物種におけるデルタ６デサチュラーゼの遺伝子組換え発現は、GLA構成物を増加させるという点で有効である。
【０１００】
本発明に係る特許請求の範囲は、本明細書における上述の記載によって、本発明に係る可能な要素を特徴づけるために示される。
【図面の簡単な説明】
【０１０１】
【図１】図１は、ＯＡの変換からＬＡまでのＧＬＡ生合成経路を示す。この図に示すように、酵素デルタ６およびデルタ１２デサチュラーゼの連続的な活性によって、ＧＬＡに順に変換される。ＧＬＡは、数々のプロスタグランジン、ロイコトリエン、その他の生理活性物質にとって前躯体であるアラキドン酸に変換されうる。
【図２】図２は、共通配列を含む、様々な植物性デルタ６デサチュラーゼ（配列ＩＤ番号：４−６）の連続配列を示す。
【図３】図３は、共通配列を含む、様々な真菌性デルタ６デサチュラーゼ（配列ＩＤ番号：７−１１）の連続配列を示す。
【図４】図４は、デルタ６デサチュラーゼにおける保存領域の直線状の表示を示す。
【図５】図５は、共通配列を含む、様々な植物性デルタ１２デサチュラーゼ（配列ＩＤ番号：１２−１５）の連続配列を示す。
【図６】図６は、共通配列を含む、様々な真菌性デルタ１２デサチュラーゼ（配列ＩＤ番号：１６−１９）の連続配列を示す。
【図７】図７は、デルタ１２デサチュラーゼにおける直線状の表示を示す。
【図８】図８は、有機体Ｍ．ａｌｐｉｎａからデルタ６およびデルタ１２デサチュラーゼ発現を目的としたプラスミドｐＳＢＳ４７６６を示す。この図には、プロモーター、終止配列、および耐性または標識遺伝子を含む発現図の様々な特徴を示す。
【図９】図９は、有機体Ｓ．ｄｉｃｌｉｎａからデルタ６デサチュラーゼ発現を目的としたプラスミドｐＳＢＳ４１１９を示す。この図には、プロモーター、終止配列、および耐性または標識遺伝子を含む発現図の様々な特徴を示す。当該プラスミド上において植物選択可能マーカーは、ｐａｔであり、Ｓｔｒｅｐｔｏｍｙｃｅｓ  ｖｉｒｉｄｏｃｈｒｏｍｏｇｅｎｅｓ由来のホスフィノチリシンアセチル転移酵素である。また、細菌標識は、ＳｐｅｃＲである。
【図１０】図１０は、有機体Ｍ．ａｌｐｉｎａからデルタ６およびデルタ１２デサチュラーゼ発現を目的としたプラスミドｐＳＢＳ４７６３を示す。この図には、プロモーター、終止配列、および耐性または標識遺伝子を含む発現図の様々な特徴を示す。当該プラスミド上において植物選択可能マーカーはｐａｔであり、Ｓｔｒｅｐｔｏｍｙｃｅｓ  ｖｉｒｉｄｏｃｈｒｏｍｏｇｅｎｅｓ由来のホスフィノチリシンアセチル転移酵素である。また、細菌標識は、ＳｐｅｃＲである。
【図１】
2008545411.tif 000013
【図２】
2008545411.tif 000014
【図３】
2008545411.tif 000015
【図４】
2008545411.tif 000016
【図５】
2008545411.tif 000017
【図６】
2008545411.tif 000018
【図７】
2008545411.tif 000019
【図８】
2008545411.tif 000020
【図９】
2008545411.tif 000021
【図１０】
2008545411.tif 000022
【配列表】
2008545411000001.app
【国際調査報告】
2008545411.tif 000023